(57)【要約】【課題】街中でデバイスを利用して目的情報を取得する場合、店に対応したアプリが必要だが、本発明は、キーワードに対応した目的情報のみ取得可能なシステムを提供する。【解決手段】本発明のキーワード対応街検索システムは、情報発信位置へ設置されて目的情報を無線発信する発信器Ｂと、発信器Ｂより、目的情報と関連付けられたキーワードと発信器Ｂの発信位置情報がデータベース（ＤＢ）に登録され、キーワードと発信位置情報とをＤＢ中で検索可能な街検索アプリを配布する、ＤＢを有すると共に発信器Ｂと交信可能な管理サーバＡと、特定の通信網により管理サーバＡと交信し、街検索アプリをダウンロードした携帯デバイスＣと、を含む通信ネットワークにおいて、携帯デバイスＣは、利用ポイントの発信器Ｂが発信する目的情報の受信可能領域に入ると、発信器Ｂをマスターとしてスレーブ化し、マスターである発信器Ｂの発信する目的情報を受信する。【選択図】  図１
2016111375.tif 000002
【特許請求の範囲】
【請求項１】
目的情報を無線発信する発信器Ｂと、
前記発信器Ｂより、前記目的情報と関連付けられたキーワードと該発信器Ｂの発信位置情報がデータベースに登録され、登録された該キーワードと該発信位置情報とを該データベース中で検索可能な街検索アプリケーションを配布する、該データベースを有すると共に発信器Ｂと交信可能な管理サーバＡと、
特定の通信網により前記管理サーバＡと交信し、前記街検索アプリケーションをダウンロードした携帯デバイスＣと、
を含む通信ネットワークにおいて、
前記携帯デバイスＣは、
（Ｃ１）前記街検索アプリケーションを起動するアプリケーション起動手段と、
（Ｃ２）管理サーバＡから受信した近隣地図を表示画面に表示する近隣地図表示手段と、
（Ｃ３）前記近隣地図に操作を加え、予定する移動範囲を指定する移動範囲指定手段と、
（Ｃ４）検索するキーワードを指定するキーワード指定手段と、
（Ｃ５）検索情報として、前記移動範囲と前記キーワードを、管理サーバＡに送信する検索情報送信手段と、
（Ｃ６）前記移動範囲内で検索された、前記キーワードを前記データベースに登録した１又は複数の発信器Ｂの発信位置情報を、管理サーバＡから受信して、前記近隣地図上に表示するキーワード情報発信位置表示手段と、
（Ｃ７）前記表示された該１又は複数のキーワード情報発信位置の中から、所望の利用ポイントを選択する利用ポイント選択手段と、
（Ｃ８）管理サーバＡと交信し、前記利用ポイントへの案内信号を該管理サーバＡから受信する案内信号受信手段と、
を有し、
管理サーバＡは、
（Ａ１）前記携帯デバイスＣの位置情報を取得する位置情報取得手段と、
（Ａ２）前記位置情報を基に、携帯デバイスＣの位置の近隣地図を携帯デバイスＣに送信する近隣地図送信手段と、
（Ａ３）前記近隣地図に基づいて指定された前記移動範囲と前記キーワードを含む検索情報を、携帯デバイスＣから受信する検索情報受信手段と、
（Ａ４）前記移動範囲内で前記キーワードを前記データベース中で検索し、該キーワードに該当する１又は複数のキーワード情報発信位置を取得するキーワード情報発信位置取得手段と、
（Ａ５）前記取得された該１又は複数のキーワード情報発信位置を、携帯デバイスＣに送信するキーワード情報発信位置送信手段と、
（Ａ６）前記１又は複数の検索キーワード情報発信位置から携帯デバイスＣが選択した利用ポイントを、携帯デバイスＣから受信し、該利用ポイントへの案内信号を携帯デバイスＣへ送信する案内信号送信手段と、
を有し、
（Ｃ９）前記携帯デバイスＣは、前記利用ポイントに設置された発信器Ｂが発信する目的情報の受信可能領域に入ると、該発信器Ｂをマスター（Master）としてスレーブ（Slave）化してスレーブ化携帯デバイスＣとなるスレーブ化手段と、
（Ｃ１０）前記スレーブ化携帯デバイスＣが、マスターである該発信器Ｂの発信する目的情報を受信するマスター情報受信手段と、
を備える、キーワードに対応する目的情報を取得可能なキーワード対応街検索システム。
【請求項２】
請求項１に記載の特定の通信網は、
前記管理サーバＡが配布する前記街検索アプリケーションをダウンロードしたｎ個のノード（ｎは２以上の任意の整数）が、相互に近隣のノード間でアドホック通信を行い、
かつ、前記ｎ個のノード中の少なくとも１つのノードが前記街検索アプリケーションを起動して、該管理サーバＡと交信中しているノード間通信網であり、
前記携帯デバイスＣは、前記街検索アプリケーションを起動して、前記ｎ個のノード間通信網へ接続したノード化した携帯デバイスＣ（ノード化携帯デバイスＣ）であり、
（Ｃ９−１）該ノード化した携帯デバイスＣが、前記利用ポイントに設置された発信器Ｂが発信する目的情報の受信可能領域（ピコネット領域）に入ると、該発信器Ｂをマスターとしてスレーブ化してスレーブ化携帯デバイスＣとなるスレーブ化手段と、
（Ｃ１０）前記スレーブ化携帯デバイスＣが、マスターである該発信器Ｂの発信する目的情報を受信するマスター情報受信手段を備える、
請求項１に記載の、キーワードに対応する目的情報を取得可能なキーワード対応街検索システム。
【請求項３】
請求項２に記載のキーワード対応街検索システムにおいて、
前記ノード化した携帯デバイスＣが前記ノード間通信網内でアドホック通信をする周波数帯と、発信器Ｂが目的情報を発信する発信器の周波数帯とが同一である場合、
（Ｃ９−３）前記ノード化した携帯デバイスＣは、前記利用ポイントに設置された発信器Ｂが発信する目的情報の受信可能領域（ピコネット領域）に入ると、前記ノード間通信網から一時離脱して、該発信器Ｂをマスターとしてスレーブ化してスレーブ化携帯デバイスＣとなるノード離脱スレーブ化手段と、
（Ｃ１０）前記スレーブ化携帯デバイスＣが、マスターである該発信器Ｂの発信する目的情報を受信する前記マスター情報受信手段と、
（Ｃ１１）該発信器Ｂが発信する目的情報の受信可能領域（ピコネット領域）から脱出すると、該発信器Ｂとの交信を切断して前記ノード間通信網へ再接続し、該ノード化した携帯デバイスＣとして該ノード間通信網内でアドホック通信を再開する再ノード化手段と、
を備える、
請求項２に記載の、キーワードに対応する目的情報を取得可能なキーワード対応街検索システム。
【請求項４】
請求項１に記載の特定の通信網は、公衆回線網、又は、前記ノード間通信網及び公衆回線網を利用するソーシャル・ネット網である、請求項１又は請求項２に記載の、キーワードに対応する目的情報を取得可能なキーワード対応街検索システム。
【請求項５】
前記携帯デバイスＣが指定した前記利用ポイントが複数であり、該複数の利用ポイントが対応する複数の発信器Ｂ（発信器Ｂ１、発信器Ｂ２、・・・）をそれぞれマスターとする複数のピコネット領域（ピコネット領域Ｂ１、ピコネット領域Ｂ２、・・・）に重複が生じる場合、
（Ｃ１１）該スレーブ化携帯デバイスＣは、
前記ピコネット領域Ｂ１内でスレーブ化したスレーブ化携帯デバイスＣが発信器Ｂ１の設置店に入ると、自動的に又は手動で前記発信器Ｂ１との交信を切断して該設置店内無線通信網とペアリングし、
又は、前記発信器Ｂ１から該設置店内無線通信網にリレーして無線通信を行う交信維持手段を備え、
スレーブ化携帯デバイスＣが発信器Ｂ１の前記ペアリング通信圏外に出ると前記ペアリングが解除され、他の発信器Ｂ（発信器Ｂ２、発信器Ｂ３、・・・）をマスターとするスレーブ化可能な、
請求項１乃至請求項４のいずれか１項に記載のキーワードに対応する目的情報を取得可能なキーワード対応街検索システム。
【請求項６】
前記管理サーバＡが備える、前記近隣地図送信手段は、
該近隣地図上にＡＲ（Augmented Reality）ドローイング・シートを重畳して、移動範囲絞り込み可能なＡＲ地図を前記携帯デバイスＣに送信するＡＲ地図送信手段を含み、
前記携帯デバイスＣが、予定する移動範囲を指定する前記移動範囲指定手段は、
前記ＡＲ地図上で、入力手段を用いて、予定する移動範囲を閉路を描いて囲むことにより指定するＡＲ地図絞り込み手段を含む、
請求項１乃至請求項５のいずれか１項に記載のキーワードに対応する目的情報を取得可能なキーワード対応街検索システム。
【請求項７】
前記ＡＲ地図の近隣地図上に重畳したＡＲドローイング・シートは、リンク領域設定グリッドを有し、
携帯デバイスＣが備えるＡＲ地図絞り込み手段は、
前記ＡＲ地図上で、入力手段により閉路を描いて予定する移動範囲を囲み、該閉路と前記リンク領域設定グリッドとの交点を連結することにより移動範囲を絞り込む、
請求項６に記載のキーワードに対応する目的情報を取得可能なキーワード対応街検索システム。
【請求項８】
前記発信器Ｂは、前記目的情報を、
ＷｉＦｉ（Wireless Fidelity）、Ｂｌｕｅｔｏｏｔｈ（登録商標）ＢＬＥ（Bluetooth Low Energy）、ＺｉｇＢｅｅ（登録商標）、ＬＴＥ（Long Term Evolution）あるいはＬＴＥ Ｄｉｒｅｃｔ（登録商標）から選択される近距離無線通信、
または、
Ｌｉ−Ｆｉ（Light Fidelity）、ＳＳＣ(Smart Sonic Communication)、レーザ通信、
から選択される一つ又は組合せによる通信手段を利用して発信する、
請求項１乃至請求項７のいずれか１項に記載のキーワードに対応する目的情報を取得可能なキーワード対応街検索システム。
【請求項９】
前記管理サーバＡの位置情報取得手段は、
携帯電話基地局、ＷｉＦｉルータの識別子、ＧＰＳ（Global Positioning System）、ＰＨＳ基地局、通信衛星から選択される一つ又は組合せを利用して前記携帯デバイスＣの位置情報を取得する、
請求項１乃至請求項８のいずれか１項に記載のキーワードに対応する目的情報を取得可能なキーワード対応街検索システム。
【請求項１０】
前記管理サーバＡは、
前記発信器Ｂより前記目的情報と関連付けられたキーワードが登録されたデータ管理部と、
該データ管理部を含む前記データベースと、
前記特定通信網を介して前記携帯デバイスＣと交信を行う送受信部と、
前記送受信部が、前記携帯デバイスＣの前記検索情報送信手段からテキストデータで受信したキーワードを、該データベース内で検索するキーワード検索部と、
を含む、
請求項１乃至請求項９のいずれか１項に記載のキーワードに対応する目的情報を取得可能なキーワード対応街検索システム。
【請求項１１】
前記管理サーバＡは、
前記特定通信網を介して音声データにより交信可能な音声認識サーバと接続され、
前記送受信部が、前記携帯デバイスＣが前記検索情報送信手段から音声データで送信したキーワードを、前記音声認識サーバを介して受信し、
前記送受信部が該音声データで受信したキーワードを、テキストに変換する対応テキスト解析部を備え、
該対応テキスト解析部がテキストに変換したキーワードを、前記キーワード検索部が前記データベース内で検索する、
請求項１乃至請求項１０のいずれか１項に記載のキーワードに対応する目的情報を取得可能なキーワード対応街検索システム。
【請求項１２】
目的情報を無線発信する発信器Ｂと、
前記発信器Ｂより、前記目的情報と関連付けられたキーワードと該発信器Ｂの発信位置情報がデータベースに登録され、登録された該キーワードと該発信位置情報とを該データベース中で検索可能な街検索アプリケーションを配布する、該データベースを有すると共に発信器Ｂと交信可能な管理サーバＡと、
特定の通信網により前記管理サーバＡと交信し、前記街検索アプリケーションをダウンロードした携帯デバイスＣと、
を含む通信ネットワークにおいて、
（Ｓ１）携帯デバイスＣが、管理サーバＡの配布した前記街検索アプリケーションを起動するアプリケーション起動ステップと、
（Ｓ２）管理サーバＡが、携帯デバイスＣの位置情報を取得する位置情報取得ステップと、
（Ｓ３）管理サーバＡが、前記位置情報を基に、携帯デバイスＣの位置の近隣地図を携帯デバイスＣに送信する近隣地図送信ステップと、
（Ｓ４）携帯デバイスＣが、管理サーバＡから受信した前記近隣地図を該携帯デバイスＣに表示する近隣地図表示ステップと、
（Ｓ５）携帯デバイスＣが、表示された前記近隣地図に操作を加え、該携帯デバイスＣの予定する移動範囲を指定する移動範囲指定ステップと、
（Ｓ６）携帯デバイスＣが、検索するキーワードを指定するキーワード指定ステップと、
（Ｓ７）携帯デバイスＣが、検索情報として、前記移動範囲と前記キーワードを、管理サーバＡに送信する検索情報送信ステップと、
（Ｓ８）管理サーバＡが、前記近隣地図に基づいて指定された前記移動範囲と前記キーワードを含む検索情報を、携帯デバイスＣから受信する検索情報受信ステップと、
（Ｓ９）管理サーバＡが、前記移動範囲内で前記キーワードを前記データベース中で検索し、該キーワードに該当する１又は複数のキーワード情報発信位置を取得するキーワード情報発信位置取得ステップと、
（Ｓ１０）管理サーバＡが、前記取得された該１又は複数の検索キーワード情報発信位置を、携帯デバイスＣに送信する検索キーワード情報発信位置送信ステップと、
（Ｓ１１）携帯デバイスＣが、前記移動範囲内で検索された、前記キーワードを前記データベースに登録した１又は複数の発信器Ｂの発信位置情報を、管理サーバＡから受信して、前記近隣地図上に表示するキーワード情報発信位置表示ステップと、
（Ｓ１２）携帯デバイスＣが、前記表示された１又は複数のキーワード情報発信位置の中から、所望の利用ポイントを選択する利用ポイント選択ステップと、
（Ｓ１３）管理サーバＡが、前記利用ポイントを携帯デバイスＣから受信し、該利用ポイントへの案内信号を携帯デバイスＣへ送信する案内信号送信ステップと、
（Ｓ１４）携帯デバイスＣが、前記選択した利用ポイントへの案内信号を該管理サーバＡから受信する案内信号受信ステップと、
（Ｓ１５）携帯デバイスＣが、前記利用ポイントに設置された発信器Ｂが発信する目的情報の受信可能領域に入って、該発信器Ｂをマスター（Master）としてスレーブ（Slave）化してスレーブ化携帯デバイスＣとなり、マスターである該発信器Ｂの発信する目的情報を受信するマスター情報受信ステップと、
を含む、キーワード対応街検索方法。
【請求項１３】
請求項１２に記載のキーワード対応街検索方法において、
（前提１）前記目的情報は、決済手段情報としてＲＦＩＤ決済手段の情報を含み、
（前提２）前記発信器Ｂは、ＢＬＥ信号のクラス１を使用する発信器Ｂ（class１）であり、
（前提３）前記発信器Ｂを設置する店は、店内の無線通信網を備え、
（前提４）前記発信器Ｂを設置する店は、ＲＦＩＤ決済手段（ＲＦＩＤリーダライタ又はＲＦＩＤタグ）を有する決済デバイスＢを備え、
（前提５）前記店内の無線通信網を介して、上記決済デバイスＢと前記管理サーバＡが交信可能であり、
更に、
（Ｓ２１）前記管理サーバＡが、前記発信器Ｂ（class１）を介して、前記スレーブ化したスレーブ化携帯デバイスＣの位置を確認するスレーブ化位置確認ステップと、
（Ｓ２２）前記スレーブ化携帯デバイスＣが、発信器Ｂ（class１）（Master）の発信する目的情報（決済手段情報、レコメンド、サービス情報／ポイント付加情報）を受信する前記マスター情報受信ステップと、
（Ｓ２３）前記スレーブ化携帯デバイスＣが発信器Ｂ（class１）（Master）の設置店内に入り、発信器Ｂ（class１）との交信を切断してスレーブ化を離脱した携帯デバイスＣとなる共に、該店内の無線通信網とリレー又はペアリングする交信維持ステップと、
（Ｓ２４）前記設置店内で１又は複数の商品を選択する商品選択ステップと、
（Ｓ２５）前記受信した決済手段情報から支払い方法としてＲＦＩＤ決済手段を選択するＲＦＩＤ決済手段選択ステップと、
（Ｓ２６）前記ＲＦＩＤ決済手段の選択がキーワード変換されて、管理サーバＡがスレーブ化携帯デバイスＣのＲＦＩＤ決済手段選択を確認するＲＦＩＤ決済手段確認ステップと、
（Ｓ２７）前記キーワードを基に検索を実行した管理サーバＡが、前記スレーブ化を離脱した携帯デバイスＣを、前記決済デバイスＢへ案内する決済デバイス案内ステップと、
（Ｓ２８）前記入力された商品について発信器Ｂ（class３）が作成する、該商品の品目と数量、金額入り支払いＧＵＩ請求書を、スレーブ化携帯デバイスＣが受信する請求書受信ステップと、
（Ｓ２９）スレーブ化携帯デバイスＣが、前記ＧＵＩ請求書を確認する請求書表示確認ステップと、
（Ｓ３０）スレーブ化携帯デバイスＣが、前記ＲＦＩＤ決済手段の選択を確認した管理サーバＡから、ОＴＰ(One Time Password)を含む決済情報を受信するＯＴＰ決済情報受信ステップと、
（Ｓ３１）スレーブ化携帯デバイスＣが、前記決済デバイスＢに該携帯デバイスＣをかざして支払いを申し込むＲＦＩＤ支払申込みステップと、
（Ｓ３２）前記ОＴＰを含む決済情報を発信器Ｂが確認後、前記商品と共に該コンピュータが発行する領収書を受信する領収書受信ステップと、
を備える、
決済手段可能なキーワード対応街検索方法。
【請求項１４】
目的情報をＢＬＥ信号のクラス３を使用して発信する発信器Ｂ（class３）と、
前記発信器Ｂより、前記目的情報と関連付けられたキーワードと該発信器Ｂの発信位置情報がデータベースに登録され、登録された該キーワードと該発信位置情報とを該データベース中で検索可能な街検索アプリケーションを配布する、該データベースを有すると共に発信器Ｂと交信可能な管理サーバＡと、
特定の通信網により前記管理サーバＡと交信し、前記街検索アプリケーションをダウンロードした携帯デバイスＣと、
を含み、
（前提１）前記目的情報は、決済手段情報としてＢＬＥ決済手段の情報を含み、
（前提２）前記目的情報を無線発信する発信器Ｂ（class３）は、ＢＬＥ決済手段を備え、又はＢＬＥ決済手段と連動し、
（前提３）上記携帯デバイスＣは、上記発信器Ｂ（class３）を備える店内で買い物をしており（又はサービスの提供を受けており）、
（前提４）上記特定の通信網は上記店内の無線通信網であり、当該無線通信網を介して、上記携帯デバイスＣと上記管理サーバＡが交信可能であり、
（前提５）上記無線通信網を介して、キーワード検索により、上記管理サーバＡが上記携帯デバイスＣを上記発信器Ｂ（class３）へ案内可能である、
通信ネットワークにおいて、
（Ｓ１−１）固定され、又は移動可能な前記発信器Ｂ（class３）を備える店内で、前記携帯デバイスＣが、前記管理サーバＡの配布した前記街検索アプリケーションを起動するアプリケーション起動ステップと、
（Ｓ２）管理サーバＡが、携帯デバイスＣの位置情報を取得する位置情報取得ステップと、
（Ｓ３）管理サーバＡが、前記位置情報を基に、携帯デバイスＣの位置の近隣地図（前記店内地図）を携帯デバイスＣに送信する近隣地図送信ステップと、
（Ｓ４）携帯デバイスＣが、管理サーバＡから受信した前記近隣地図を該携帯デバイスＣに表示する近隣地図表示ステップと、
（Ｓ５）携帯デバイスＣが、表示された前記近隣地図に操作を加え、該携帯デバイスＣの予定する移動範囲を指定する移動範囲指定ステップと、
（Ｓ４１）前記発信器Ｂ（class３）を備える店内で、携帯デバイスＣが１又は複数の商品を選択する商品選択ステップと、
（Ｓ４２）発信器Ｂ（class３）が、前記選択された商品について該商品の品目と数量、金額、決済手段情報を含む支払いＧＵＩ（Graphical User Interface）請求書を作成し、携帯デバイスＣに送信するＧＵＩ請求書送信ステップと、
（Ｓ４３）受信したＧＵＩ請求書上で、携帯デバイスＣが、決済手段としてＢＬＥ決済手段を選択するＢＬＥ決済選択ステップと、
（Ｓ７−１）前記ＢＬＥ決済手段の選択がキーワード変換されて、該ＢＬＥ決済手段のキーワードと前記移動範囲とを検索情報として、携帯デバイスＣが管理サーバＡに送信する検索情報送信ステップと、
（Ｓ８−１）管理サーバＡが、前記近隣地図に基づいて指定された前記移動範囲と前記ＢＬＥ決済手段のキーワードを含む検索情報を、携帯デバイスＣから受信する検索情報受信ステップと、
（Ｓ９）管理サーバＡが、前記移動範囲内で前記キーワードを前記データベース中で検索し、該キーワードに該当する１又は複数のキーワード情報発信位置を取得するキーワード情報発信位置取得ステップと、
（Ｓ１０）管理サーバＡが、前記取得された該１又は複数の検索キーワード情報発信位置を、携帯デバイスＣに送信する検索キーワード情報発信位置送信ステップと、
（Ｓ１１）携帯デバイスＣが、前記移動範囲内で検索された、前記キーワードを前記データベースに登録した１又は複数の発信器Ｂ（class３）の発信位置情報を、管理サーバＡから受信して、前記近隣地図上に表示するキーワード情報発信位置表示ステップと、
（Ｓ１２）携帯デバイスＣが、前記表示された１又は複数のキーワード情報発信位置の中から、所望の利用ポイントを選択する利用ポイント選択ステップと、
（Ｓ１３）管理サーバＡが、前記利用ポイントを携帯デバイスＣから受信し、該利用ポイントへの案内信号を携帯デバイスＣへ送信する案内信号送信ステップと、
（Ｓ１４）携帯デバイスＣが、前記選択した利用ポイントへの案内信号を該管理サーバＡから受信する案内信号受信ステップと、
（Ｓ１５−１）携帯デバイスＣが、前記利用ポイントに位置する発信器Ｂ（class３）が発信する目的情報の受信可能領域（ピコネット領域Ｂ（class３））に入って、該発信器Ｂ（class３）をマスター（Master）としてスレーブ（Slave）化してスレーブ化携帯デバイスＣとなり、マスターである該発信器Ｂの発信する目的情報を受信するマスター情報受信ステップと、
（Ｓ４４）管理サーバＡが、発信器Ｂ（class３）を介して、スレーブ化した前記スレーブ化携帯デバイスＣの位置を確認するスレーブ化位置確認ステップと、
（Ｓ４５）スレーブ化したスレーブ化携帯デバイスＣが、前記ＧＵＩ請求書を確認する請求書表示確認ステップと、
（Ｓ４６）前記ＢＬＥ利用決済の選択をキーワードとして確認した管理サーバＡが、発信器Ｂ（class３）を介して、ОＴＰ(One Time Password)を含む画像化情報を前記スレーブ化携帯デバイスＣに送信するＯＴＰ画像化情報送信ステップと、
（Ｓ４７）管理サーバＡから、前記ОＴＰを含む画像化情報を受信するＯＴＰ画像化情報受信ステップと、
（Ｓ４８）発信器Ｂ（class３）（Master）と連動したＢＬＥ決済手段に、該携帯デバイスＣに表示した前記ОＴＰを含む画像化情報をスキャンさせて支払いを申し込むＢＬＥ支払申込みステップと、
（Ｓ４９）前記ОＴＰを含む画像化情報を発信器Ｂが確認後、前記商品と共に該コンピュータが発行する領収書を受信する領収書受信ステップと、
を備える、
決済手段可能なキーワード対応街検索方法。
【請求項１５】
請求項１２乃至請求項１４に記載の特定の通信網は、
前記管理サーバＡが配布する前記街検索アプリケーションをダウンロードしたｎ個のノード（ｎは２以上の任意の整数）が、相互に近隣のデバイス間でアドホック通信を行い、かつ、前記ｎ個のノード中の少なくとも１つのノードが前記街検索アプリケーションを起動して、該管理サーバＡと交信中しているノード間通信網であり、
前記携帯デバイスＣが、該管理サーバＡが配布した前記街検索アプリケーションを起動して、前記ｎ個のノード間通信網へ接続したノード化した携帯デバイスＣである、キーワード対応街検索方法。
【請求項１６】
前記管理サーバＡが、携帯デバイスＣの位置の近隣地図を携帯デバイスＣに送信する近隣地図送信ステップ（Ｓ３）は、
（Ｓ３−１）前記近隣地図上にＡＲ（Augmented Reality）ドローイング・シートを重畳して、移動範囲絞り込み可能なＡＲ地図を、前記携帯デバイスＣに送信するＡＲ地図送信ステップを含み、
前記携帯デバイスＣが、予定する移動範囲を指定する前記移動範囲指定ステップ（Ｓ５）は、
（Ｓ５−１）前記ＡＲ地図上で、入力手段を用いて、予定する移動範囲を閉路を描いて囲むことにより指定するＡＲ地図絞り込みステップを含む、
請求項１２乃至請求項１５に記載の、キーワード対応街検索方法。
【発明の詳細な説明】
【技術分野】
【０００１】
本発明は、キーワードに対応する目的情報を取得可能なキーワード対応街検索方法及び街検索システムに関する。
【背景技術】
【０００２】
近年、携帯タブレットやスマートホンなどの高機能な端末デバイスが普及し、例えばショッピング・モールや会場などの店舗や施設に超音波や電波を用いたビーコンを設置し、ユーザーの端末デバイスと交信して、店舗や施設等のサービス情報、商品のリコメンド情報、クーポン券の発行情報、アクセス情報などを提供して、ユーザーの引き込みや利便性向上を図るシステムが登場している。
【０００３】
特許文献１では、売り場内に超音波を発振するビーコンを設置し、顧客の携帯端末と通信する超音波通信システムが開示されている。
【０００４】
また、特許文献２では、少なくとも１つの携帯端末、当該携帯端末で受信可能な信号を発信する少なくとも１つの発信機、及び前記携帯端末から信号を受信する中央端末を備えるシステムが開示されている。
【０００５】
しかし、いずれのビーコン乃至発信機も、超音波や電波の発信信号が受信可能な領域に携帯端末が入らなければ当該発信信号を受信することができず、所望する情報を発信するビーコン乃至発信機を予め選択することはできない。又、上記ビーコンや発信機の近くを通るたびに、不要な発信信号を受信してしまい、煩わしいという問題があった。
【０００６】
あるいは、店舗が店頭に設置するビーコンの発信信号を受信するためには、当該店舗専用のアプリケーションをいちいち携帯端末にダウンロードしなければならないという不便さもあり、ビーコンを使ったユーザーの引き込みや利便性向上を図るサービスはなかなか奏功していないのが現状である。
【０００７】
【特許文献１】特開２０１３−１４１０５４号公報
【特許文献２】特開２０１３−３８５３９号公報
【発明の概要】
【発明が解決しようとする課題】
【０００８】
上記のように、街中でデバイスを利用して目的情報を発信する発信器、例えば店頭に設置されたビーコン等から情報取得する場合、目的情報取得には各々アプリケーションを必要とし、その各々のアプリケーションをいちいちスマートホンなどの携帯端末にダウンロードする必要があった。本発明は、一つのアプリケーションにより、所望のキーワードに対応した目的情報のみ取得することができる、キーワード対応街検索システムおよびキーワード対応街検索方法を提供することを目的とする。
【課題を解決するための手段】
【０００９】
本発明に係る街検索システムは、目的情報を無線発信する発信器Ｂと、上記発信器Ｂより、上記目的情報と関連付けられたキーワードと該発信器Ｂの発信位置情報がデータベースに登録され、登録された該キーワードと該発信位置情報とを該データベース中で検索可能な街検索アプリケーションを配布する、該データベースを有すると共に発信器Ｂと交信可能な管理サーバＡと、特定の通信網により上記管理サーバＡと交信し、上記街検索アプリケーションをダウンロードした携帯デバイスＣと、を含む通信ネットワークにおいて、
上記携帯デバイスＣは、
（Ｃ１）上記街検索アプリケーションを起動するアプリケーション起動手段と、
（Ｃ２）管理サーバＡから受信した近隣地図を表示画面に表示する近隣地図表示手段と、
（Ｃ３）上記近隣地図に操作を加え、予定する移動範囲を指定する移動範囲指定手段と、
（Ｃ４）検索するキーワードを指定するキーワード指定手段と、
（Ｃ５）検索情報として、上記移動範囲と上記キーワードを、管理サーバＡに送信する検索情報送信手段と、
（Ｃ６）上記移動範囲内で検索された、上記キーワードを上記データベースに登録した１又は複数の発信器Ｂの発信位置情報を、管理サーバＡから受信して、上記近隣地図上に表示するキーワード情報発信位置表示手段と、
（Ｃ７）上記表示された該１又は複数のキーワード情報発信位置の中から、所望の利用ポイントを選択する利用ポイント選択手段と、
（Ｃ８）管理サーバＡと交信し、上記利用ポイントへの案内信号を該管理サーバＡから受信する案内信号受信手段と、を有し、
管理サーバＡは、
（Ａ１）上記携帯デバイスＣの位置情報を取得する位置情報取得手段と、
（Ａ２）上記位置情報を基に、携帯デバイスＣの位置の近隣地図を携帯デバイスＣに送信する近隣地図送信手段と、
（Ａ３）上記近隣地図に基づいて指定された上記移動範囲と上記キーワードを含む検索情報を、携帯デバイスＣから受信する検索情報受信手段と、
（Ａ４）上記移動範囲内で上記キーワードを上記データベース中で検索し、該キーワードに該当する１又は複数のキーワード情報発信位置を取得するキーワード情報発信位置取得手段と、
（Ａ５）上記取得された該１又は複数のキーワード情報発信位置を、携帯デバイスＣに送信するキーワード情報発信位置送信手段と、
（Ａ６）上記１又は複数の検索キーワード情報発信位置から携帯デバイスＣが選択した利用ポイントを、携帯デバイスＣから受信し、該利用ポイントへの案内信号を携帯デバイスＣへ送信する案内信号送信手段と、
を有し、
（Ｃ９）上記携帯デバイスＣは、上記利用ポイントに設置された発信器Ｂが発信する目的情報の受信可能領域に入ると、該発信器Ｂをマスター（Master）としてスレーブ（Slave）化してスレーブ化携帯デバイスＣとなるスレーブ化手段と、
（Ｃ１０）上記スレーブ化携帯デバイスＣが、マスターである該発信器Ｂの発信する目的情報を受信するマスター情報受信手段と、を備える。
【００１０】
本発明に係る街検索システムにおいて、上記特定の通信網は、上記管理サーバＡが配布する上記街検索アプリケーションをダウンロードしたｎ個のノード（ｎは２以上の任意の整数）が、相互に近隣のノード間でアドホック通信を行い、
かつ、上記ｎ個のノード中の少なくとも１つのノードが上記街検索アプリケーションを起動して、該管理サーバＡと交信中しているノード間通信網であり、
上記携帯デバイスＣは、上記街検索アプリケーションを起動して、上記ｎ個のノード間通信網へ接続したノード化した携帯デバイスＣ（ノード化携帯デバイスＣ）であり、
本発明に係る街検索システムは、
（Ｃ９−１）該ノード化した携帯デバイスＣが、上記利用ポイントに設置された発信器Ｂが発信する目的情報の受信可能領域（ピコネット領域）に入ると、該発信器Ｂをマスターとしてスレーブ化してスレーブ化携帯デバイスＣとなるスレーブ化手段と、
（Ｃ１０）上記スレーブ化携帯デバイスＣが、マスターである該発信器Ｂの発信する目的情報を受信するマスター情報受信手段を含む。
【００１１】
本発明に係る街検索システムは、上記キーワード対応街検索システムにおいて、
上記ノード化した携帯デバイスＣが上記ノード間通信網内でアドホック通信をする周波数帯と、発信器Ｂが目的情報を発信する発信器の周波数帯とが同一である場合、
（Ｃ９−３）上記ノード化した携帯デバイスＣは、上記利用ポイントに設置された発信器Ｂが発信する目的情報の受信可能領域（ピコネット領域）に入ると、上記ノード間通信網から一時離脱して、該発信器Ｂをマスターとしてスレーブ化してスレーブ化携帯デバイスＣとなるノード離脱スレーブ化手段と、
（Ｃ１０）上記スレーブ化携帯デバイスＣが、マスターである該発信器Ｂの発信する目的情報を受信する上記マスター情報受信手段と、
（Ｃ１１）該発信器Ｂが発信する目的情報の受信可能領域（ピコネット領域）から脱出すると、該発信器Ｂとの交信を切断して上記ノード間通信網へ再接続し、該ノード化した携帯デバイスＣとして該ノード間通信網内でアドホック通信を再開する再ノード化手段と、
を備える。
【００１２】
本発明に係る街検索システムにおいて、請求項１に記載の特定の通信網は、公衆回線網、又は、上記ノード間通信網及び公衆回線網等を利用するソーシャル・ネット網であってよい。
【００１３】
本発明に係る街検索システムは、上記携帯デバイスＣが指定した上記利用ポイントが複数であり、当該複数の利用ポイントが対応する複数の発信器Ｂ（発信器Ｂ１、発信器Ｂ２、・・・）をそれぞれマスターとする複数のピコネット領域（ピコネット領域Ｂ１、ピコネット領域Ｂ２、・・・）に重複が生じる場合、
（Ｃ１１）当該スレーブ化携帯デバイスＣは、上記ピコネット領域Ｂ１内でスレーブ化したスレーブ化携帯デバイスＣが発信器Ｂ１の設置店に入ると、自動的に又は手動で上記発信器Ｂ１との交信を切断して当該設置店内無線通信網とペアリングし、又は、上記発信器Ｂ１から当該設置店内無線通信網にリレーして無線通信を行う交信維持手段を備え、
スレーブ化携帯デバイスＣが発信器Ｂ１の上記ペアリング通信圏外に出ると上記ペアリングが解除され、他の発信器Ｂ（発信器Ｂ２、発信器Ｂ３、・・・）をマスターとするスレーブ化可能である。
【００１４】
本発明に係る街検索システムにおいて、上記管理サーバＡが備える、上記近隣地図送信手段は、当該近隣地図上にＡＲ（Augmented Reality）ドローイング・シートを重畳して、移動範囲絞り込み可能なＡＲ地図を上記携帯デバイスＣに送信するＡＲ地図送信手段を含み、
上記携帯デバイスＣが、予定する移動範囲を指定する上記移動範囲指定手段は、上記ＡＲ地図上で、入力手段を用いて、予定する移動範囲を閉路を描いて囲むことにより指定するＡＲ地図絞り込み手段を含む。
【００１５】
本発明に係る街検索システムは、上記ＡＲ地図の近隣地図上に重畳したＡＲドローイング・シートは、リンク領域設定グリッドを有し、携帯デバイスＣが備えるＡＲ地図絞り込み手段は、上記ＡＲ地図上で、入力手段により閉路を描いて予定する移動範囲を囲み、当該閉路と上記リンク領域設定グリッドとの交点を連結することにより移動範囲を絞り込む。
【００１６】
本発明に係る街検索システムは、上記発信器Ｂは、上記目的情報を、ＷｉＦｉ（Wireless Fidelity）、Ｂｌｕｅｔｏｏｔｈ（登録商標）、ＢＬＥ（Bluetooth Low Energy）、ＺｉｇＢｅｅ（登録商標）、ＬＴＥ（Long Term Evolution）あるいはＬＴＥ Ｄｉｒｅｃｔ（登録商標）から選択される近距離無線通信、または、Ｌｉ−Ｆｉ（Light Fidelity）、ＳＳＣ(Smart Sonic Communication)、レーザ通信、から選択される一つ又は組合せによる通信手段を利用して発信し得る。
【００１７】
本発明に係る街検索システムにおいて、上記管理サーバＡの位置情報取得手段は、
携帯電話基地局、ＷｉＦｉルータの識別子、ＧＰＳ（Global Positioning System）、ＰＨＳ基地局、通信衛星から選択される一つ又は組合せを利用して上記携帯デバイスＣの位置情報を取得し得る。
【００１８】
本発明に係る街検索システムにおいて、上記管理サーバＡは、上記発信器Ｂより上記目的情報と関連付けられたキーワードが登録されたデータ管理部と、当該データ管理部を含む上記データベースと、上記特定通信網を介して上記携帯デバイスＣと交信を行う送受信部と、上記送受信部が、上記携帯デバイスＣの上記検索情報送信手段からテキストデータで受信したキーワードを、当該データベース内で検索するキーワード検索部と、を含む。
【００１９】
本発明に係る街検索システムにおいて、上記管理サーバＡは、上記特定通信網を介して音声データにより交信可能な音声認識サーバと接続され、上記送受信部が、上記携帯デバイスＣが上記検索情報送信手段から音声データで送信したキーワードを、上記音声認識サーバを介して受信し、上記送受信部が当該音声データで受信したキーワードを、テキストに変換する対応テキスト解析部を備え、当該対応テキスト解析部がテキストに変換したキーワードを、上記キーワード検索部が上記データベース内で検索する。
【００２０】
本発明に係る街検索方法は、目的情報を無線発信する発信器Ｂと、上記発信器Ｂより、上記目的情報と関連付けられたキーワードと当該発信器Ｂの発信位置情報がデータベースに登録され、登録された当該キーワードと当該発信位置情報とを当該データベース中で検索可能な街検索アプリケーションを配布する、当該データベースを有すると共に発信器Ｂと交信可能な管理サーバＡと、特定の通信網により上記管理サーバＡと交信し、上記街検索アプリケーションをダウンロードした携帯デバイスＣと、を含む通信ネットワークにおいて、
（Ｓ１）携帯デバイスＣが、管理サーバＡの配布した上記街検索アプリケーションを起動するアプリケーション起動ステップと、
（Ｓ２）管理サーバＡが、携帯デバイスＣの位置情報を取得する位置情報取得ステップと、
（Ｓ３）管理サーバＡが、上記位置情報を基に、携帯デバイスＣの位置の近隣地図を携帯デバイスＣに送信する近隣地図送信ステップと、
（Ｓ４）携帯デバイスＣが、管理サーバＡから受信した上記近隣地図を当該携帯デバイスＣに表示する近隣地図表示ステップと、
（Ｓ５）携帯デバイスＣが、表示された上記近隣地図に操作を加え、当該携帯デバイスＣの予定する移動範囲を指定する移動範囲指定ステップと、
（Ｓ６）携帯デバイスＣが、検索するキーワードを指定するキーワード指定ステップと、
（Ｓ７）携帯デバイスＣが、検索情報として、上記移動範囲と上記キーワードを、管理サーバＡに送信する検索情報送信ステップと、
（Ｓ８）管理サーバＡが、上記近隣地図に基づいて指定された上記移動範囲と上記キーワードを含む検索情報を、携帯デバイスＣから受信する検索情報受信ステップと、
（Ｓ９）管理サーバＡが、上記移動範囲内で上記キーワードを上記データベース中で検索し、当該キーワードに該当する１又は複数のキーワード情報発信位置を取得するキーワード情報発信位置取得ステップと、
（Ｓ１０）管理サーバＡが、上記取得された当該１又は複数の検索キーワード情報発信位置を、携帯デバイスＣに送信する検索キーワード情報発信位置送信ステップと、
（Ｓ１１）携帯デバイスＣが、上記移動範囲内で検索された、上記キーワードを上記データベースに登録した１又は複数の発信器Ｂの発信位置情報を、管理サーバＡから受信して、上記近隣地図上に表示するキーワード情報発信位置表示ステップと、
（Ｓ１２）携帯デバイスＣが、上記表示された１又は複数のキーワード情報発信位置の中から、所望の利用ポイントを選択する利用ポイント選択ステップと、
（Ｓ１３）管理サーバＡが、上記利用ポイントを携帯デバイスＣから受信し、当該利用ポイントへの案内信号を携帯デバイスＣへ送信する案内信号送信ステップと、
（Ｓ１４）携帯デバイスＣが、上記選択した利用ポイントへの案内信号を当該管理サーバＡから受信する案内信号受信ステップと、
（Ｓ１５）携帯デバイスＣが、上記利用ポイントに設置された発信器Ｂが発信する目的情報の受信可能領域に入って、当該発信器Ｂをマスター（Master）としてスレーブ（Slave）化してスレーブ化携帯デバイスＣとなり、マスターである当該発信器Ｂの発信する目的情報を受信するマスター情報受信ステップと、を含む。
【００２１】
本発明に係る街検索方法は、上記キーワード対応街検索方法において、
（前提１）上記目的情報は、決済手段情報としてＲＦＩＤ決済手段の情報を含み、
（前提２）上記発信器Ｂは、ＢＬＥ信号のクラス１を使用する発信器Ｂ（class１）であり、
（前提３）上記発信器Ｂを設置する店は、店内の無線通信網を備え、
（前提４）上記発信器Ｂを設置する店は、ＲＦＩＤ決済手段（ＲＦＩＤリーダライタ又はＲＦＩＤタグ）を有する決済デバイスＢを備え、
（前提５）上記店内の無線通信網を介して、上記決済デバイスＢと上記管理サーバＡが交信可能であり、更に、
（Ｓ２１）上記管理サーバＡが、上記発信器Ｂ（class１）を介して、上記スレーブ化したスレーブ化携帯デバイスＣの位置を確認するスレーブ化位置確認ステップと、
（Ｓ２２）上記スレーブ化携帯デバイスＣが、発信器Ｂ（class１）（Master）の発信する目的情報（決済手段情報、レコメンド、サービス情報／ポイント付加情報）を受信する上記マスター情報受信ステップと、
（Ｓ２３）上記スレーブ化携帯デバイスＣが発信器Ｂ（class１）（Master）の設置店内に入り、発信器Ｂ（class１）との交信を切断してスレーブ化を離脱した携帯デバイスＣとなる共に、当該店内の無線通信網とリレー又はペアリングする交信維持ステップと、
（Ｓ２４）上記設置店内で１又は複数の商品を選択する商品選択ステップと、
（Ｓ２５）上記受信した決済手段情報から支払い方法としてＲＦＩＤ決済手段を選択するＲＦＩＤ決済手段選択ステップと、
（Ｓ２６）上記ＲＦＩＤ決済手段の選択がキーワード変換されて、管理サーバＡがスレーブ化携帯デバイスＣのＲＦＩＤ決済手段選択を確認するＲＦＩＤ決済手段確認ステップと、
（Ｓ２７）上記キーワードを基に検索を実行した管理サーバＡが、上記スレーブ化を離脱した携帯デバイスＣを、上記決済デバイスＢへ案内する決済デバイス案内ステップと、
（Ｓ２８）上記入力された商品について発信器Ｂ（class３）が作成する、当該商品の品目と数量、金額入り支払いＧＵＩ請求書を、スレーブ化携帯デバイスＣが受信する請求書受信ステップと、
（Ｓ２９）スレーブ化携帯デバイスＣが、上記ＧＵＩ請求書を確認する請求書表示確認ステップと、
（Ｓ３０）スレーブ化携帯デバイスＣが、上記ＲＦＩＤ決済手段の選択を確認した管理サーバＡから、ОＴＰ(One Time Password)を含む決済情報を受信するＯＴＰ決済情報受信ステップと、
（Ｓ３１）スレーブ化携帯デバイスＣが、上記決済デバイスＢに当該携帯デバイスＣをかざして支払いを申し込むＲＦＩＤ支払申込みステップと、
（Ｓ３２）上記ОＴＰを含む決済情報を発信器Ｂが確認後、上記商品と共に当該コンピュータが発行する領収書を受信する領収書受信ステップと、を備える。
【００２２】
本発明に係る街検索方法は、本実施例７の決済手段可能なキーワード対応街検索決済方法は、
目的情報をＢＬＥ信号のクラス３を使用して発信する発信器Ｂ（class３）と、
上記発信器Ｂより、上記目的情報と関連付けられたキーワードと当該発信器Ｂの発信位置情報がデータベースに登録され、登録された当該キーワードと当該発信位置情報とを当該データベース中で検索可能な街検索アプリケーションを配布する、当該データベースを有すると共に発信器Ｂと交信可能な管理サーバＡと、
特定の通信網により上記管理サーバＡと交信し、上記街検索アプリケーションをダウンロードした携帯デバイスＣと、
を含み、
（前提１）上記目的情報は、決済手段情報としてＢＬＥ決済手段の情報を含み、
（前提２）上記目的情報を無線発信する発信器Ｂ（class３）は、ＢＬＥ決済手段を備え、又はＢＬＥ決済手段と連動し、
（前提３）上記発信器Ｂ（class３）を設置する店は店内の無線通信網を備え、当該無線通信網を介して上記携帯デバイスＣと上記管理サーバＡが交信可能であり、
（前提４）上記無線通信網を介して、キーワード検索により、上記管理サーバＡが上記携帯デバイスＣを上記発信器Ｂ（class３）へ案内可能である、
通信ネットワークにおいて、
（Ｓ１−１）固定され、又は移動可能な上記発信器Ｂ（class３）を備える店内又は店外で、上記携帯デバイスＣが、上記管理サーバＡの配布した上記街検索アプリケーションを起動するアプリケーション起動ステップと、
（Ｓ２）管理サーバＡが、携帯デバイスＣの位置情報を取得する位置情報取得ステップと、
（Ｓ３）管理サーバＡが、上記位置情報を基に、携帯デバイスＣの位置の近隣地図（上記店内又は店外地図）を携帯デバイスＣに送信する近隣地図送信ステップと、
（Ｓ４）携帯デバイスＣが、管理サーバＡから受信した上記近隣地図を当該携帯デバイスＣに表示する近隣地図表示ステップと、
（Ｓ５）携帯デバイスＣが、表示された上記近隣地図に操作を加え、当該携帯デバイスＣの予定する移動範囲を指定する移動範囲指定ステップと、
（Ｓ４１）上記発信器Ｂ（class３）を備える店内で、携帯デバイスＣが１又は複数の商品を選択する商品選択ステップと、
（Ｓ４２）発信器Ｂ（class３）が、上記選択された商品について当該商品の品目と数量、金額、決済手段情報を含む支払いＧＵＩ（Graphical User Interface）請求書を作成し、携帯デバイスＣに送信するＧＵＩ請求書送信ステップと、
（Ｓ４３）受信したＧＵＩ請求書上で、携帯デバイスＣが、決済手段としてＢＬＥ決済手段を選択するＢＬＥ決済選択ステップと、
（Ｓ７−１）上記ＢＬＥ決済手段の選択がキーワード変換されて、当該ＢＬＥ決済手段のキーワードと上記移動範囲とを検索情報として、携帯デバイスＣが管理サーバＡに送信する検索情報送信ステップと、
（Ｓ８−１）管理サーバＡが、上記近隣地図に基づいて指定された上記移動範囲と上記ＢＬＥ決済手段のキーワードを含む検索情報を、携帯デバイスＣから受信する検索情報受信ステップと、
（Ｓ９）管理サーバＡが、上記移動範囲内で上記キーワードを上記データベース中で検索し、当該キーワードに該当する１又は複数のキーワード情報発信位置を取得するキーワード情報発信位置取得ステップと、
（Ｓ１０）管理サーバＡが、上記取得された当該１又は複数の検索キーワード情報発信位置を、携帯デバイスＣに送信する検索キーワード情報発信位置送信ステップと、
（Ｓ１１）携帯デバイスＣが、上記移動範囲内で検索された、上記キーワードを上記データベースに登録した１又は複数の発信器Ｂ（class３）の発信位置情報を、管理サーバＡから受信して、上記近隣地図上に表示するキーワード情報発信位置表示ステップと、
（Ｓ１２）携帯デバイスＣが、上記表示された１又は複数のキーワード情報発信位置の中から、所望の利用ポイントを選択する利用ポイント選択ステップと、
（Ｓ１３）管理サーバＡが、上記利用ポイントを携帯デバイスＣから受信し、当該利用ポイントへの案内信号を携帯デバイスＣへ送信する案内信号送信ステップと、
（Ｓ１４）携帯デバイスＣが、上記選択した利用ポイントへの案内信号を当該管理サーバＡから受信する案内信号受信ステップと、
（Ｓ１５−１）携帯デバイスＣが、上記利用ポイントに位置する発信器Ｂ（class３）が発信する目的情報の受信可能領域（ピコネット領域Ｂ（class３））に入って、当該発信器Ｂ（class３）をマスター（Master）としてスレーブ（Slave）化してスレーブ化携帯デバイスＣとなり、マスターである当該発信器Ｂの発信する目的情報を受信するマスター情報受信ステップと、
（Ｓ４４）管理サーバＡが、発信器Ｂ（class３）を介して、スレーブ化した上記スレーブ化携帯デバイスＣの位置を確認するスレーブ化位置確認ステップと、
（Ｓ４５）スレーブ化したスレーブ化携帯デバイスＣが、上記ＧＵＩ請求書を確認する請求書表示確認ステップと、
（Ｓ４６）上記ＢＬＥ利用決済の選択をキーワードとして確認した管理サーバＡが、発信器Ｂ（class３）を介して、ОＴＰ(One Time Password)を含む画像化情報を上記スレーブ化携帯デバイスＣに送信するＯＴＰ画像化情報送信ステップと、
（Ｓ４７）管理サーバＡから、上記ОＴＰを含む画像化情報を受信するＯＴＰ画像化情報受信ステップと、
（Ｓ４８）発信器Ｂ（class３）（Master）と連動したＢＬＥ決済手段に、当該携帯デバイスＣに表示した上記ОＴＰを含む画像化情報をスキャンさせて支払いを申し込むＢＬＥ支払申込みステップと、
（Ｓ４９）上記ОＴＰを含む画像化情報を発信器Ｂが確認後、上記商品と共に当該コンピュータが発行する領収書を受信する領収書受信ステップと、を備える。
【００２３】
本発明に係る街検索方法において、上記特定の通信網は、
上記管理サーバＡが配布する上記街検索アプリケーションをダウンロードしたｎ個のノード（ｎは２以上の任意の整数）が、相互に近隣のデバイス間でアドホック通信を行い、かつ、上記ｎ個のノード中の少なくとも１つのノードが上記街検索アプリケーションを起動して、当該管理サーバＡと交信中しているノード間通信網であり、
上記携帯デバイスＣが、当該管理サーバＡが配布した上記街検索アプリケーションを起動して、上記ｎ個のノード間通信網へ接続したノード化した携帯デバイスＣであってよい。
【００２４】
本発明に係る街検索方法において、上記管理サーバＡが、携帯デバイスＣの位置の近隣地図を携帯デバイスＣに送信する近隣地図送信ステップ（Ｓ３）は、
（Ｓ３−１）上記近隣地図上にＡＲ（Augmented Reality）ドローイング・シートを重畳して、移動範囲絞り込み可能なＡＲ地図を、上記携帯デバイスＣに送信するＡＲ地図送信ステップを含み、
上記携帯デバイスＣが、予定する移動範囲を指定する上記移動範囲指定ステップ（Ｓ５）は、
（Ｓ５−１）上記ＡＲ地図上で、入力手段を用いて、予定する移動範囲を閉路を描いて囲むことにより指定するＡＲ地図絞り込みステップを含む。
【発明の効果】
【００２５】
本発明に係る街検索システム及びその方法においては、目的情報取得に各々アプリケーションのダウンロードが不要である。また、ネットワーク通信にノード間通信網通信を利用した場合、デバイスをノードとして情報伝達するので基地局設置などの負担軽減効果もある。
【００２６】
さらに、インターネット上の目的情報検索と異なり、ノード間通信網を用いたキーワード検索により、よりリアルの場での乖離の少ない木目細やかなサービスが提供可能である。例えば、目的情報発信器を子供に持たせ、球場内を移動範囲と指定して、子供/移動範囲とのキーワードで括って本発明を用い、球場外へ子供が迷い出たり連れ出されないように注意する場合に利用できる他、女性保護目的の警備、高齢者の見守りなどにも利用できる。さらに弱者に配慮したサービスに利用できるなど、より高度な付加価値提供効果もある。
【００２７】
さらに、本発明に係る街検索アプリケーションは、従来のビーコンシステムと異なり、個々の店舗等に依存しないため、ソーシャルネットワークを利用した目的情報発信器のポータル化を望むことができる。また、本発明に係るキーワード対応街検索システムを用いれば、街中にニュース取得用の目的情報発信器を設置して、Jアラートなどの通信衛星や市町村の同報系防災行政無線や有線放送電話を利用し、緊急情報を住民へ瞬時に伝達するシステムとの連携による緊急情報利用も可能である。
【００２８】
さらに、本発明に係るキーワード対応街検索システム及び方法は、キーワード検索を基に、様々な角度の情報収集、データ分析、マイニング等により効果的なスマートシティの実現に寄与することができる。例えば、目的情報発信器をスマートメーターなどに活用して電力の有効利用を図ることで、省資源化を徹底した環境配慮型都市の実現に寄与することができる。あるいは、再生可能エネルギーの効果的な利用を可能とするスマートグリッド利用や、電気自動車や水素自動車の充電システム整備に基づく交通システム及び蓄電池や省エネ家電などへの利用による都市システムを総合的に組み合わせた、スマートシティの構築に寄与することもできる。
【図面の簡単な説明】
【００２９】
【図１】本発明に係るサーバとピコネットとノード間通信網を含む通信ネットワーク例の概念図。
【図２】本発明に係る実施形態のキーワード対応街検索システム例の概念図。
【図３】本発明に係るサーバとピコネットと公衆回線を含む通信ネットワーク例の概念図。
【図４】本発明に係るピコネットにおけるマスターとスレーブ間の通信フロー図。
【図５】本発明に係る重複したピコネット領域例の概念図。
【図６】本発明に用いる通信ネットワークにおける管理サーバＡと発信器Ｂと携帯デバイスＣの機能例の概念図。
【図７】本発明に係るキーワード検索方法のフロー図。
【図８】本発明に係るＡＲ地図例の概念図。
【図９】本発明に係るＡＲ地図のドローイング例の概念図。
【図１０】本発明に係るＡＲ地図検索における管理サーバＡと携帯デバイスＣの機能例の模式図。
【図１１】本発明に係るピコネットとノード間通信網例の概念図。
【図１２】本発明に係るキーワードに対応する目的情報を取得可能なキーワード対応街検索方法のフロー図。
【図１３】本発明に係るピコネットとノード間通信網のスイッチング方法のフロー図。
【図１４】本発明に係る街検索方法のフロー図
【図１５】本発明に係るＢＬＥ利用の決済方法に係る実施例のフロー図。
【図１６】本発明に係るＢＬＥ利用の決済方法に係る他の実施例のフロー図。
【発明を実施するための形態】
【００３０】
以下、図面を参照しながら本発明に係る街検索システム及びその方法の実施形態について説明する。なお、以下各図面を通して同一の構成要素には同一の符号を使用するものとする。
【００３１】
Ｉ．特定の通信網を用いたキーワード対応街検索システム
【００３２】
図１、図２、図３に示すように、本発明に係るキーワード対応街検索システムは、目的情報を無線発信する発信器Ｂと、上記発信器Ｂより、上記目的情報と関連付けられたキーワードと当該発信器Ｂの発信位置情報がデータベースに登録され、登録された当該キーワードと当該発信位置情報とを当該データベース中で検索可能な街検索アプリケーションを配布する、当該データベースを有すると共に発信器Ｂと交信可能な管理サーバＡと、特定の通信網により上記管理サーバＡと交信し、上記街検索アプリケーションをダウンロードした携帯デバイスＣと、を含む通信ネットワークを利用する。
【００３３】
（特定の通信網）
本発明に係るキーワード対応街検索システムにおいて、特定の通信網とは、公衆回線網やノード間通信網その他の通信網であるが、これらについては下記の実施形態において説明する。
【００３４】
（発信器Ｂ）
発信器Ｂは管理サーバＡと交信可能で、上記目的情報を上記発信手段等により発信できるものであれば特に限定されず、ビーコンなど無線通信機器、無線通信可能なＰＣ等、あるいは、タブレット、携帯電話やスマートホンなどの携帯デバイス、携帯端末等であってもよい。
【００３５】
発信器Ｂは、上記目的情報をＷｉＦｉ（Wireless Fidelity）、Ｂｌｕｅｔｏｏｔｈ（ブルートゥース、ブルーツース：登録商標）、ＢＬＥ（Bluetooth Low Energy）、ＺｉｇＢｅｅ（登録商標）、ＬＴＥ（Long Term Evolution）又はＬＴＥ Ｄｉｒｅｃｔ（登録商標）などの近距離無線通信などを利用した発信手段を用いる。これらの無線信号の使用周波数帯域は同一周波数帯域であるものも、異なる周波数帯域であるものもある。例えば上記Ｂｌｕｅｔｏｏｔｈ（登録商標）やＢｌｕｅｔｏｏｔｈ（登録商標）利用のＢＬＥ（Bluetooth Low Energy）の使用周波数帯域は２．４ＧＨｚ帯であり、ＷｉＦｉは規格によって２．４―２．５ＧＨｚ帯やＬＴＥ Ｄｉｒｅｃｔ（登録商標）のような５ＧＨｚ帯の使用周波数帯域を利用したりする。
【００３６】
または、発信器Ｂは、上記目的情報を、Ｌｉ−Ｆｉ（Light Fidelity）およびＳＳＣ(Smart Sonic Communication)、レーザ通信などを利用して、あるいは、それらの一つ又は組合せによる発信手段を利用して発信を行ってもよい。
【００３７】
また、発信器Ｂが周辺機器と無線通信する場合、セントラル(central)とぺリフェラル（peripheral）という概念が使われる場合があるが、本発明においては、携帯デバイスＣが発信器Ｂ乃至は発信器Ｂと連動するデバイス等と交信する場合、発信器Ｂがセントラルであり、携帯デバイスＣがぺリフェラルであるとし、発信器Ｂ（central）、携帯デバイスＣ（peripheral）のように記載する場合もある。
【００３８】
（ピコネット領域）
本発明に係るキーワード対応街検索システム及び方法において、発信器Ｂの発信信号は携帯端末（携帯デバイスＣ）が受信するが、当該発信信号の発信源からの受信可能領域は１０ｍ乃至数百ｍ以内である。以下、本明細書において、この発信器Ｂの発信信号の発信源（発信器Ｂ）からの受信可能領域を「ピコネット（Pico net）領域」ともいう（図１、図３参照）。
【００３９】
例えば、発信器Ｂの発信信号として上記ＢＬＥを用いると、発信源（発信器Ｂ）からの受信可能領域は、クラス１が１０ｍ〜５０ｍ程度、クラス２が１０ｍ程度、クラス３が５ｃｍ程度である。すなわち、同種の発信信号を用いる場合であっても、ピコネット領域（受信可能領域）は用いるクラスによって異なる場合がある。従って、例えば発信器ＢがＢＬＥを用いる場合、クラス１の発信信号を発信する発信器Ｂを発信器Ｂ（class１）と、クラス２の発信信号を発信する発信器Ｂを発信器Ｂ（class２）と、クラス３の発信信号を発信する発信器Ｂを発信器Ｂ（class３）などと、以下、必要に応じて使い分ける場合もある。
【００４０】
このように、発信器Ｂと携帯端末（例えば携帯デバイスＣ）はピコネット領域内で、図１、図３に示すようなスター型のピコネットを形成することができるが、ＢＬＥを使用する場合、ピコネット領域内で１つの発信器Ｂと同時接続できる携帯端末は、現状では最大７台である。
【００４１】
（管理サーバＡ）
上記のように、発信器Ｂと交信可能な管理サーバＡは、発信器Ｂの発信位置情報と、発信器Ｂの発信する目的情報と関連付けられたキーワードを登録するデータベースを有し、登録された当該キーワードと当該発信位置情報とを上記データベース中で検索可能な街検索アプリケーションを配布する。また、当該街検索アプリケーションをダウンロードした携帯デバイスＣと、公衆回線網やノード間通信網などの特定の通信網を介して交信可能である。
【００４２】
管理サーバＡは、Ｊアラートのようなレイヤーの異なる他のサーバーとも協働し、竜巻情報のような気象情報、地震やこれに伴う津波や洪水情報、噴火に伴う緊急避難情報等を適宜携帯デバイスＣに発信するようにしてもよい。
【００４３】
［第１の実施形態］
本第１の実施形態では、管理サーバＡと携帯デバイスＣが交信に使用する公衆回線網やノード間通信網等を特に区別せずに特定の通信網とし、使用する通信網によって影響を受けない基本的な本発明に係る街検索システム及びその方法の実施形態について説明する。
【００４４】
（携帯デバイスＣの機能）
本第１実施形態のキーワード対応街検索システムにおいて、管理サーバＡの配布した上記街検索アプリケーションを起動した携帯デバイスＣは、少なくとも以下のような手段を備える。すなわち、図２に示すように、
（Ｃ１）上記街検索アプリケーションを起動するアプリケーション起動手段と、
（Ｃ２）特定の通信網を介して管理サーバＡから受信した近隣地図を当携帯デバイスＣに表示する近隣地図表示手段
（Ｃ３）上記近隣地図表示手段により当携帯デバイスＣに表示された当該近隣地図に操作を加え、当携帯デバイスＣの予定する移動範囲を指定する移動範囲指定手段
（Ｃ４）当携帯デバイスＣの検索するキーワードを指定するキーワード指定手段
（Ｃ５）検索情報として、上記移動範囲指定手段及び上記キーワード指定手段によりそれぞれ指定された上記移動範囲と上記キーワードを、特定の通信網を介して管理サーバＡに送信する検索情報送信手段
（Ｃ６）上記移動範囲内で検索され、上記検索情報送信手段により送信された、上記キーワードを上記データベースに登録した１又は複数の発信器Ｂの発信位置情報を、管理サーバＡから受信して、当該移動範囲内で１又は複数の検索キーワード情報発信位置を、当携帯デバイスＣに表示された近隣地図上に表示するキーワード情報発信位置表示手段
（Ｃ７）上記キーワード情報発信位置表示手段により表示された当該１又は複数の検索キーワード情報発信位置の中から、当携帯デバイスＣの所望の利用ポイントを選択する利用ポイント選択手段
（Ｃ８）上記特定の通信網を介して管理サーバＡと交信し、当該利用ポイント選択手段により選択した利用ポイントへの案内信号を当該管理サーバＡから受信する案内信号受信手段
【００４５】
（管理サーバＡの機能）
また、同じく図２に示すように、本第１実施形態のキーワード対応街検索システムにおいて管理サーバＡは、少なくとも以下のような手段を備える。すなわち、
（Ａ１）上記特定の通信網を介して上記携帯デバイスＣの位置情報を取得する位置情報取得手段
（Ａ２）上記位置情報取得手段により取得した当携帯デバイスＣの位置情報を基に、当携帯デバイスＣの位置の近隣地図を当携帯デバイスＣに送信する近隣地図送信手段
（Ａ３）上記近隣地図送信手段により送信された、上記近隣地図に基づいて指定された上記移動範囲と上記キーワードを含む検索情報を、携帯デバイスＣから受信する検索情報受信手段
（Ａ４）上記検索情報受信手段により受信した、上記移動範囲内で上記キーワードを上記データベース中で検索し、当該キーワードに該当する１又は複数のキーワード情報発信位置を取得するキーワード情報発信位置取得手段
（Ａ５）上記キーワード情報発信位置取得手段により取得された当該１又は複数の検索キーワード情報発信位置を、当携帯デバイスＣに送信するキーワード情報発信位置送信手段
（Ａ６）上記キーワード情報発信位置送信手段により送信された当該１又は複数の検索キーワード情報発信位置から当携帯デバイスＣが選択した利用ポイントを、当携帯デバイスＣから受信し、当該利用ポイントへの案内信号を当携帯デバイスＣへ送信する案内信号送信手段
【００４６】
（携帯デバイスＣの位置情報取得）
なお、管理サーバＡの上記位置情報取得手段は、位置計測専用の発信器、携帯電話基地局、ＷｉＦｉルータの識別子、ＧＰＳ（Global Positioning System）、ＰＨＳ基地局、通信衛星から選択される一つ又は組合せを利用して携帯デバイスＣの位置情報を取得することができる。
【００４７】
そして、本発明に係るキーワード対応街検索システムにおいて、携帯デバイスＣは、図３に示す上記利用ポイントに設置された発信器Ｂ（Ｂ１、Ｂ２）が発信する目的情報の受信可能領域（ピコネット領域）に入ると、当該発信器Ｂ（Ｂ１、Ｂ２）をマスター（Master）としてスレーブ（Slave）化してスレーブ化携帯デバイスＣ（Slave１、Slave２、・・・）となる。このようにスレーブ化したスレーブ化携帯デバイスＣは、このマスター情報受信手段より、マスターである当該発信器Ｂ（Ｂ１、Ｂ２）の発信する目的情報を受信することができる。
【００４８】
本発明に係るキーワード対応街検索システム及び方法において、上記ピコネット領域（受信可能領域）が広い発信器Ｂを使用する場合は、例えば発信器Ｂを店頭や大会場の各施設などに設置して戸口案内などする場合に、ピコネット領域（受信可能領域）が広い発信器Ｂを使用する場合は、例えば発信器Ｂを決済デバイスのような決済手段として用いることができる。発信器Ｂの発信信号としてＢＬＥを使う場合は、クラス１又は２を戸口案内などに、クラス３を決済用に使用するのが好適である。
【００４９】
このように、携帯デバイスＣが発信器Ｂ（Ｂ１、Ｂ２）のピコネット領域Ｂ（ピコネット領域Ｂ１、ピコネット領域Ｂ２）に入ると、管理サーバＡは、マスターである当該発信器Ｂ（Ｂ１、Ｂ２）を介して、スレーブ化した携帯デバイスＣの位置情報を取得することができる。携帯デバイスＣ（peripheral）が上記街検索アプリケーションをダウンロード乃至起動することにより管理サーバＡが携帯デバイスＣの個体識別番号（ＵＩＤ）や機種名を登録情報として掌握しており、管理サーバＡは発信器Ｂを登録しているので、スレーブ化した携帯デバイスＣと交信するマスターの発信器Ｂ（Ｂ１、Ｂ２）を介して管理サーバＡは携帯デバイスＣの位置情報を取得することが可能である。あるいは、スレーブ化した携帯デバイスＣは、ピコネット領域Ｂに入っても上記街検索アプリケーションを起動しているので、管理サーバＡはＧＰＳ等を用いて直接スレーブ化した携帯デバイスＣの位置情報を取得することも可能である。
【００５０】
（キーワード検索）
本発明に係る街検索システム及びその方法において、キーワード検索は、後述するように、主として携帯デバイスＣへの文字入力、音声入力によって行われる。あるいは、携帯デバイスＣに表示されるアイコンや表示キャラクターなどの選択や音信号の入力により、それぞれが対応するキーワードに自動変換して管理サーバＡに送信することによりキーワード検索を行ってもよい。
【００５１】
または、携帯デバイスＣが備える匂い感知センサーや触覚感知センサー、カメラ、スキャナーなどを利用して、携帯デバイスＣに匂い、タッチ、被写体、画像などを感知させてそれぞれに対応するキーワードに自動変換し、管理サーバＡに送信することによりキーワード検索を行ってもよい。
【実施例１】
【００５２】
管理サーバＡの上記データ管理部が登録するキーワードに関連付けられた、上記発信器Ｂが発信する上記目的情報は、例えば上記携帯デバイスＣ向けのレコメンドおよびサービス情報／ポイント付加情報などを含んでよい。
【００５３】
管理サーバＡは、事前確認キーワード検索において、例えば目的情報発信位置入手手段により発信器Ｂ（Ｂ１、Ｂ２、・・・）の発信する目的情報の発信位置を入手してデータベース（ＤＢ）に登録する。そして、携帯デバイスＣが上記利用ポイント選択手段により選択した上記利用ポイントを、上記目的情報発信位置入手手段が入手した上記発信器Ｂ（Ｂ１、Ｂ２、・・・）の目的情報の発信位置の中から検索し、上記案内信号送信手段が当該利用ポイントへの案内信号を当該携帯デバイスＣに送信する。
【００５４】
携帯デバイスＣは、上記案内信号送信手段の案内により、図３のように当該利用ポイントに設置された発信器Ｂが発信する目的情報の受信可能領域（ピコネット領域）に入り、当該発信器Ｂ（Ｂ１、Ｂ２、・・・）をマスターとしてスレーブ化したスレーブ化携帯デバイスＣ（Slave１、Slave２、・・・）となる。この発信器Ｂ（Ｂ１、Ｂ２、・・・）をマスターとするそれぞれのピコネット領域（ピコネット領域Ｂ１、ピコネット領域Ｂ２、・・・）内で、スレーブ化携帯デバイスＣ（Slave１、Slave２、・・・）は、それぞれのマスターである発信器Ｂ（Ｂ１、Ｂ２、・・・）が発信する上記レコメンドおよび上記サービス情報／ポイント付加情報等を含む目的情報を受信することができる。
【実施例２】
【００５５】
（携帯デバイスＣのスレーブ化方法）
本実施例２では、携帯デバイスＣが利用ポイントに設置された発信器Ｂが発信する目的情報の受信可能領域（ピコネット領域）へ入り、スレーブ化する方法について、図４を用いてさらに詳細に説明する。
【００５６】
上述のように、管理サーバＡの案内信号送信手段により、携帯デバイスＣは指定した利用ポイントへ案内されるが、この間も携帯デバイスＣは個体識別番号を生成したランダムアドレス（ＵＩＤ）や機種名をアドバタイズメントパケットに乗せて間断なくペリフェラルより発信している（例えば２０ｍｓ間隔）。
【００５７】
一方、発信器Ｂは、上記目的情報を管理サーバＡに登録すると共に、当該目的情報（レコメンド／サービス情報等を含む）を、ＢＬＥ（Bluetooth Low Energy）のクラス１又はクラス２の発信信号などを用いて発信するが、同時にアドバタイズメントパケットを発信するデバイスのスキャンを間断なく行う。
【００５８】
携帯デバイスＣが発信するアドバタイズメントパケットのスキャンに成功した発信器Ｂは、例えばＢＬＥ信号により携帯デバイスＣに接続要求をし、当該ＢＬＥ信号を携帯デバイスＣがキャッチすれば、当該発信器Ｂと当該携帯デバイスＣが接続する。この状態が上述した、発信器Ｂをマスター（Master）としたスレーブ（Slave）化であり、携帯デバイスＣが発信器Ｂ（マスター）の目的情報の受信可能領域内でスレーブ化携帯デバイスＣとなり、発信器Ｂ（マスター）とピコネットを形成する。本実施例のように、ＢＬＥ（Bluetooth Low Energy）のクラス１（又はクラス２）の発信信号を用いれば、ピコネット領域は理想的には半径約１０ｍの円となる。
【００５９】
（ピコネット領域が重複する場合のスレーブ化方法）
携帯デバイスＣが指定した利用ポイントにおける発信器Ｂのピコネット領域が重複する場合が生じ得る。例えば、利用ポイントが、同じ中華街や焼肉街、青果市場、鮮魚市場、電気街、商店街、ショッピング・モール内などの近接した店および展示会などのブースの発信器Ｂ（Ｂ１、Ｂ２、・・・）の設置位置、あるいは設置店である場合などである。このような場合、どのピコネットに優先的に繋がるかが問題となり得る。
【００６０】
以下、図５に示すように、（発信器Ｂ１、発信器Ｂ２、・・・）をそれぞれマスターとするピコネットを、それぞれ（ピコネットＢ１、ピコネットＢ２、・・・）などと呼び、ピコネット領域が重複する場合のスレーブ化方法について検討する。以下に例示するスレーブ化方法は、管理サーバＡが配布する検索可能な街検索アプリケーションの設定により、あるいは当該街検索アプリケーションをダウンロードした携帯デバイスＣが設定やモードを変えることにより実現することができる。
【００６１】
（スレーブ化方法１）
上記のようにピコネット領域が重複する場合、通常であれば、携帯デバイスＣは、先にキャッチした接続要求信号を発信する発信器Ｂ（例えば発信器Ｂ１）のスレーブ化携帯デバイスＣとなり、発信器Ｂ１をマスターとしてピコネットＢ１を形成する。スレーブ化携帯デバイスＣが発信器Ｂ１からレコメンドなどの目的情報を得ると、通常は両者の交信は切断され、スレーブ化携帯デバイスＣは通常の携帯デバイスＣとなる。あるいは、発信器Ｂ１のスレーブ化携帯デバイスＣがピコネット領域Ｂ１から出て、他の近隣のピコネット領域に入っていなければ、スレーブ化携帯デバイスＣは通常の携帯デバイスＣとなり、再び管理サーバＡの案内信号送信手段による案内に従う。もし、発信器Ｂ１のスレーブ化携帯デバイスＣがピコネット領域Ｂ１から出ると同時にピコネット領域Ｂ２に入っていれば、携帯デバイスＣは、発信器Ｂ１のスレーブ化携帯デバイスＣから、発信器Ｂ２のスレーブ化携帯デバイスＣとなり、発信器Ｂ２をマスターとしてピコネットＢ２を形成することになる。
【００６２】
（スレーブ化方法２）
しかし、携帯デバイスＣが管理サーバＡの案内信号送信手段に案内されてピコネット領域Ｂ１に入ったが、発信器Ｂ１の設置店と相性が合わずに他の発信器Ｂ（発信器Ｂ２など）の設置店に行きたい等の場合は、発信器Ｂ１のスレーブ化携帯デバイスＣが街検索アプリケーションを手動で操作してスレーブ化離脱操作を行い、発信器Ｂ１の発信信号を遮断して通常の携帯デバイスＣとなり、ピコネット領域Ｂ１と重なるピコネット領域Ｂ２で発信器Ｂ２のスレーブ化携帯デバイスＣとなるようにすることもできる。
【００６３】
（スレーブ化方法３）
一方、携帯デバイスＣが、街検索アプリケーション上で優先順位を付けて利用ポイントを設定できる場合など、最初にキャッチした接続要求信号を発信する発信器Ｂ１に必ず案内されるようにするには、一旦ピコネット領域Ｂ１でスレーブ化したスレーブ化携帯デバイスＣがピコネット領域Ｂ１から出ると同時に他のピコネット領域に入っても、当該他の発信器Ｂのスレーブ化携帯デバイスＣとはならないようにする必要がある。そのために、ピコネット領域Ｂ１でスレーブ化したスレーブ化携帯デバイスＣがピコネット領域Ｂ１から出ると、他のピコネット領域に入っていても通常の携帯デバイスＣとなり、再び管理サーバＡの案内信号送信手段によって発信器Ｂ１（ピコネット領域Ｂ１）に案内されるようにしてもよい。
【００６４】
そのためには、一度入ったピコネット領域でスレーブ化を確定するようにするのが好適である。例えば、最初に入ったピコネット領域Ｂ１に必ず案内されるように、ピコネット領域Ｂ１内の発信器Ｂ１の設置店に備えたＲＦＩＤタグにスレーブ化携帯デバイスＣをかざしたり、画像化情報（例えばＱＲコード（登録商標））スキャナーにスレーブ化携帯デバイスＣをスキャンさせるなどして、発信器Ｂ１をマスターとするスレーブ化を確定させてもよい。
【００６５】
一度ピコネット領域Ｂ１内でスレーブ化を確定させたスレーブ化携帯デバイスＣは、発信器Ｂ１を設置した店内で、下記するリレー方式やペアリング方式を用いて店内ＷｉＦｉ等に接続し、他の重複するピコネット領域に入っても、当該店外に出ない限り、発信器Ｂ１のスレーブ化を維持するようにすることが可能である。スレーブ化携帯デバイスＣが発信器Ｂ１の設置店を出ると店内ＷｉＦｉ等が切れ、他の発信器Ｂ（ピコネット領域が重複する発信器Ｂ２）のＢＬＥ発信信号を受信する。
【００６６】
ここでリレー方式、ペアリング方式とは、上記例においてピコネット領域Ｂ１内でスレーブ化を確定させたスレーブ化携帯デバイスＣが、発信器Ｂ１を設置した店舗の内に入ると、例えば当該店舗の店内無線通信（ＷｉＦｉ等）を受信するようにして、当該店舗内では当該店舗の情報を常に受信するようにスレーブ化を維持するための、発信器Ｂ１及び店内無線通信とスレーブ化携帯デバイスＣ間の通信乗り換え方式である。本明細書においては、例えば、発信器Ｂ１のＢＬＥから店内ＷｉＦｉ等に乗り換える際にスレーブ化携帯デバイスＣと発信器Ｂ１のＢＬＥ通信を切断する方式をリレー方式、切断しない方式をペアリング方式と呼ぶ。発信器Ｂ１のＢＬＥ通信を切断する方法は、手動切断であっても自動切断であってもよい。
【００６７】
（スレーブ化方法４）
あるいは、ピコネット領域Ｂ１内の発信器Ｂ１の設置店に入って他の発信器Ｂ（例えばピコネット領域が重複する発信器Ｂ２）の発信信号を拾わないようにするために、ピコネット領域Ｂ１内でスレーブ化したスレーブ化携帯デバイスＣが発信器Ｂ１の設置店に入ると、自動的に発信器Ｂ１とＢｌｕｅｔｏｏｔｈ（登録商標）がペアリングを行うようにしてもよい。スレーブ化携帯デバイスＣが発信器Ｂ１の設置店のＢｌｕｅｔｏｏｔｈ（登録商標）通信圏外に出るとペアリングが解除され、他の発信器Ｂ（ピコネット領域が重複する発信器Ｂ２）のＢＬＥ発信信号を受信する。
【００６８】
このように、本発明に係るキーワード対応街検索システムにおいては、所望の移動範囲を指定して、その移動範囲内で、所望のキーワードに対応する目的情報を発信する発信器Ｂの目的情報のみを選択して取得することができる。従って、従来のように、情報取得のために、各々の発信器に対応した各々のアプリケーションをダウンロードすることが不要となる。
【００６９】
（管理サーバＡのキーワード検索手段）
上述した管理サーバＡのキーワード検索手段について、図６を用いて更に詳細に説明する。
【００７０】
図６に示すように、管理サーバＡは、発信器Ｂ（Ｂ１、Ｂ２、Ｂ３、・・・）より上記目的情報と関連付けられたキーワードが登録されたデータ管理部と、当該データ管理部を含む上記データベース（ＤＢ）と、上記特定の通信網を介して携帯デバイスＣと交信を行う送受信部と、上記送受信部が、上記携帯デバイスＣの上記検索情報送信手段からテキストデータで受信したキーワード（文字入力）を、当該データベース内で検索するキーワード検索部と、を含む。携帯デバイスＣからキーワードがテキストで送信された場合、図７に示すように検索を行う。なお、データベース（ＤＢ）は、対応テキスト・データベース、キーワード・データベース、マニュアル・データベース、ナレッジ・データベースなどを適宜含んでよい。
【００７１】
また、同じく図６に示すように、管理サーバＡは、上記特定の通信網と音声データにより交信可能な音声認識サーバと接続され、上記携帯デバイスＣが上記検索情報送信手段からキーワードを音声データで送信した場合（音声入力）、当該キーワードを上記送受信部が、上記音声認識サーバを介して受信する。そして、図７に示すように、上記送受信部が音声データで受信したキーワードを、テキストに変換（文字列変換）する対応テキスト解析部がテキストに変換し、テキストに変換されたキーワードを、上記キーワード検索部が上記データベース内で検索し、登録キーワードと要求キーワードを照合して、検索結果を上記携帯デバイスＣに表示する。
【００７２】
（ＡＲ地図）
管理サーバＡが備える、携帯デバイスＣの位置の近隣地図を当該携帯デバイスＣに送信する近隣地図送信手段は、当該近隣地図上にＡＲ（Augmented Reality）ドローイング・シートを重畳して、移動範囲絞り込み可能なＡＲ地図を携帯デバイスＣに送信するＡＲ地図送信手段を含むのが好適である。そして、携帯デバイスＣが、当該携帯デバイスＣに表示された上記近隣地図に操作を加え、当該携帯デバイスＣの予定する移動範囲を指定する移動範囲指定手段は、管理サーバＡの上記ＡＲ地図送信手段から受信したＡＲ地図上で、入力手段を用いて、予定する移動範囲を閉路を描いて囲むことにより指定するＡＲ地図絞り込み手段を含むのが好適である。
【００７３】
図８に示すように、上記ＡＲ地図の地図画像（近隣地図）上に重畳したＡＲドローイング・シートは、例えば上記地図画像の緯度と経度に沿ってリンク領域設定グリッドを有しているのが好適である。携帯デバイスＣが備える上記ＡＲ地図絞り込み手段は、上記ＡＲ地図上で、入力手段により閉路を描いて予定する移動範囲を囲み、当該閉路と上記リンク領域設定グリッドとの交点を連結することにより移動範囲を絞り込むのが好適である。
【００７４】
あるいは、上記ＡＲ地図絞り込み手段は、図９に示すように、上記ＡＲ地図上で、入力手段により閉路を描いて予定する移動範囲を囲み（例えば、図９の手書きマッピング線）、当該移動範囲内でＡＲ地図の元地図（近隣地図）上に表示された主要な建築物を直線で結んで移動範囲を絞り込んでもよい。上記入力手段は、指やペンなどでよいが、特に限定されない。
【実施例３】
【００７５】
このようなＡＲ地図絞り込みを実現するために、図１０に示すように、管理サーバＡにおいて、例えば上記データベース（ＤＢ）内の上記データ管理部（ＤＢ管理部）が、ＡＲ地図ＤＢ記憶部を管理する、ＡＲ地図ＤＢ記憶部は地図データや文字データやネットワークデータ等を記憶する。地図画像マッチング部は、ＡＲ地図ＤＢ記憶部よりデータを取得して、携帯デバイスＣが表示した近隣地図に重畳するためのドローイング・シートをこれにマッチングして、ＡＲ地図を上記送受信部より携帯デバイスＣに送信する。
【００７６】
携帯デバイスＣは、ＧＰＳ入力部より取得した情報を基に、メイン制御部を介して上記送受信部から管理サーバＡと交信し、位置情報と近隣地図を得る。所望の移動範囲を絞り込むために、管理サーバＡから取得したＡＲ地図をＡＲ地図ＤＢ記憶部に記憶させ、手書き／ペン入力部を用いてドローイングを行い、上記送受信部から管理サーバＡに送信する。このようにドローイングにより絞り込みを行ったＡＲ地図上で管理サーバＡがキーワード検索を行い、これを受信して表示制御部が所望の利用ポイントを携帯デバイスＣに表示する。経路検索部が、現在地から上記利用ポイントへの経路を探索して、当該経路を表示するようにしてもよい。
【００７７】
このような本発明に係るキーワード対応街検索方法は、
目的情報を無線発信する発信器Ｂと、
上記発信器Ｂより、上記目的情報と関連付けられたキーワードと当該発信器Ｂの発信位置情報がデータベースに登録され、登録された当該キーワードと当該発信位置情報とを当該データベース中で検索可能な街検索アプリケーションを配布する、当該データベースを有すると共に発信器Ｂと交信可能な管理サーバＡと、
特定の通信網により上記管理サーバＡと交信し、上記街検索アプリケーションをダウンロードした携帯デバイスＣと、
を含む通信ネットワークにおいて、
（Ｓ１）携帯デバイスＣが、管理サーバＡの配布した上記街検索アプリケーションを起動するアプリケーション起動ステップと、
（Ｓ２）管理サーバＡが、携帯デバイスＣの位置情報を取得する位置情報取得ステップと、
（Ｓ３）管理サーバＡが、上記位置情報を基に、携帯デバイスＣの位置の近隣地図を携帯デバイスＣに送信する近隣地図送信ステップと、
（Ｓ４）携帯デバイスＣが、管理サーバＡから受信した上記近隣地図を当該携帯デバイスＣに表示する近隣地図表示ステップと、
（Ｓ５）携帯デバイスＣが、表示された上記近隣地図に操作を加え、当該携帯デバイスＣの予定する移動範囲を指定する移動範囲指定ステップと、
（Ｓ６）携帯デバイスＣが、検索するキーワードを指定するキーワード指定ステップと、
（Ｓ７）携帯デバイスＣが、検索情報として、上記移動範囲と上記キーワードを、管理サーバＡに送信する検索情報送信ステップと、
（Ｓ８）管理サーバＡが、上記近隣地図に基づいて指定された上記移動範囲と上記キーワードを含む検索情報を、携帯デバイスＣから受信する検索情報受信ステップと、
（Ｓ９）管理サーバＡが、上記移動範囲内で上記キーワードを上記データベース中で検索し、当該キーワードに該当する１又は複数のキーワード情報発信位置を取得するキーワード情報発信位置取得ステップと、
（Ｓ１０）管理サーバＡが、上記取得された当該１又は複数の検索キーワード情報発信位置を、携帯デバイスＣに送信する検索キーワード情報発信位置送信ステップと、
（Ｓ１１）携帯デバイスＣが、上記移動範囲内で検索された、上記キーワードを上記データベースに登録した１又は複数の発信器Ｂの発信位置情報を、管理サーバＡから受信して、上記近隣地図上に表示するキーワード情報発信位置表示ステップと、
（Ｓ１２）携帯デバイスＣが、上記表示された１又は複数のキーワード情報発信位置の中から、所望の利用ポイントを選択する利用ポイント選択ステップと、
（Ｓ１３）管理サーバＡが、上記利用ポイントを携帯デバイスＣから受信し、当該利用ポイントへの案内信号を携帯デバイスＣへ送信する案内信号送信ステップと、
（Ｓ１４）携帯デバイスＣが、上記選択した利用ポイントへの案内信号を当該管理サーバＡから受信する案内信号受信ステップと、
（Ｓ１５）携帯デバイスＣが、上記利用ポイントに設置された発信器Ｂが発信する目的情報の受信可能領域に入って、当該発信器Ｂをマスター（Master）としてスレーブ（Slave）化してスレーブ化携帯デバイスＣとなり、マスターである当該発信器Ｂの発信する目的情報を受信するマスター情報受信ステップと、
を含む。
ＩＩ．ノード間通信網を用いたキーワード対応街検索システム及び方法
【００７８】
［第２の実施形態］
上記第１実施形態のキーワード対応街検索システムにおいては、携帯デバイスＣは特定の通信網により管理サーバＡと交信する通信ネットワークを利用したが、本発明に係る第２実施形態のキーワード対応街検索システムにおいては、携帯デバイスＣはノード間通信網により管理サーバＡと交信する通信ネットワークを利用する。
【００７９】
本発明に係る第２実施形態のキーワード対応街検索システムにおいて、ノード間通信網は、Ｐ２Ｐ（peer to peer）通信、メッシュ・ネットワーク、センサー・ネットワーク、ニューラル・ネットワーク、メモリー・ネットワーク、量子ネットワークなどを利用できるが、これらに限定されるものではない。
【００８０】
本第２実施形態に係るキーワード対応街検索システムにおいて、ノード間通信網とは、管理サーバＡが配布する上記街検索アプリケーションをダウンロードしたｎ個のノード（node）（ｎは２以上の任意の整数）が、相互に近隣のデバイス間でアドホック通信を行う通信網である。本発明の第２実施形態においては、更に、ノード間通信網は、上記ｎ個のノード中の少なくとも１つのノードが上記街検索アプリケーションを起動して、管理サーバＡと交信中であることを必要とする。なお、ノードの役割は通常、タブレットやスマートホン、ウエアラブル端末機、人体埋め込み型端末機、人が遠隔操作する端末機などの可動な携帯デバイスや携帯端末が担うが、家庭におかれたＰＣや無線装置、あるいは中継基地などがノードとなってもよい。
【００８１】
図１は、公衆回線網を用いる上記図３に対応する、本第２実施形態に係る管理サーバＡとピコネットとノード間通信網の概念図である。図１において、ｎｏｄｅ１１、ｎｏｄｅ２１、・・・が、上記ノード化した携帯デバイスＣ１、Ｃ２、・・・、Ｃｎと対応して相互間でアドホック通信を行っており、ｎｏｄｅ２１、ｎｏｄｅ４１、ｎｏｄｅ２０、ｎｏｄｅ４０が管理サーバＡと交信中であるので、これは本第２実施形態で定義するノード間通信網である。
【００８２】
本発明に係る第２実施形態のキーワード対応街検索システムは、情報発信位置へ設置されて目的情報を無線発信する発信器Ｂと、上記発信器Ｂより、上記目的情報と関連付けられたキーワードと当該発信器Ｂの発信位置情報がデータベースに登録され、登録された当該キーワードと当該発信位置情報とを当該データベース中で検索可能な街検索アプリケーションを配布する、当該データベースを有すると共に発信器Ｂと交信可能な管理サーバＡと、ノード間通信網により上記管理サーバＡと交信し、上記街検索アプリケーションをダウンロードした携帯デバイスＣと、を含む通信ネットワークを利用する。
【００８３】
本第２実施形態のキーワード対応街検索システムは、上記のようなｎ個のノードが、ｎ個間のノード間通信網内でアドホック通信を介して管理サーバＡと交信する通信ネットワークにおいて成立する。
【００８４】
携帯デバイスＣは、管理サーバＡの配布した上記街検索アプリケーションを起動して、上記ｎ個のノード間通信網へ接続したノード化した携帯デバイスＣとなり、上記ノード間通信網内の近隣ノードＣｋ（１≦ｋ≦ｎ；ｋは整数）とのアドホック通信を介して管理サーバＡに接続するアドホック通信接続手段を備える。すなわち、上記ｎ個のノード間通信網へ接続して、ｎ＋１番目のノード化した携帯デバイスＣとなり、管理サーバＡと交信可能となる。
【００８５】
上記アドホック通信接続手段によりノード化したノード化した携帯デバイスＣは、上記実施形態１で説明した特定の通信網としてアドホック通信接続手段を介して、上記実施形態１と同様の上記近隣地図表示手段と、上記移動範囲指定手段と、上記キーワード指定手段と、上記検索情報送信手段と、上記キーワード情報発信位置表示手段と、上記利用ポイント選択手段と、上記案内信号受信手段と、を有する。
【００８６】
同様に、管理サーバＡが、アドホック通信を介した、上記位置情報取得手段と、上記近隣地図送信手段と、上記キーワード情報発信位置取得手段と、上記実施形態１と同様の上記キーワード情報発信位置送信手段と、上記案内信号送信手段と、を備える。
【００８７】
そして、上記実施形態１と同様に、上記ノード化した携帯デバイスＣは、上記利用ポイントに設置された発信器Ｂが発信する目的情報の受信可能領域（ピコネット領域）に入ると、図１１のように当該発信器Ｂをマスター（Master）としてスレーブ化してスレーブ化携帯デバイスＣ（Slave）となり、マスターである当該発信器Ｂの発信する目的情報を受信することができる。
【００８８】
本実施形態２に係るキーワード対応街検索システムにおいて、上記ノード化携帯デバイスＣが上記ノード間通信網内でアドホック通信をする周波数帯と、発信器Ｂが目的情報を発信する発信器の周波数帯が同一である場合、上記ノード化した携帯デバイスＣは、上記利用ポイントに設置された発信器Ｂが発信する目的情報の受信可能領域（ピコネット）に入ると、上記ノード間通信網から一時離脱して、当該発信器Ｂをマスターとしてスレーブ化してスレーブ化携帯デバイスＣとなるノード離脱スレーブ化手段と、マスターである当該発信器Ｂの発信する目的情報を受信するマスター情報受信手段を備えると共に、発信器Ｂが発信する目的情報の受信可能領域から脱出すると、発信器Ｂとの交信を切断して、上記ノード間通信網へ再接続し、当該ノード化した携帯デバイスＣとして当該ノード間通信網内でアドホック通信を再開する再ノード化手段と、備える。
【００８９】
上記ノード間通信網は、ＷｉＦｉ（Wireless Fidelity）、Ｂｌｕｅｔｏｏｔｈ（登録商標）、ＢＬＥ（Bluetooth Low Energy）、ＺｉｇＢｅｅ（登録商標）、ＬＴＥ（Long Term Evolution）又はＬＴＥ Ｄｉｒｅｃｔ（登録商標）から選択される近距離無線通信を利用することができる。あるいは、可視光利用のＬｉ−Ｆｉ（Light Fidelity）、超音波利用のＳＳＣ(Smart Sonic Communication) 、レーザ通信、量子テレポーテーション通信から選択される一つ又は組合せによる発信手段を利用してもよい。または、上記ノード間通信網内に中継器サーバを設置して、当該ノード間通信網を形成するノードとして利用してもよい。
【実施例４】
【００９０】
本実施例４においては、携帯デバイスＣが、ノード間通信網を用いてアドホック通信を開始し、ノード間通信網を介して所望の目的情報を発信する発信器Ｂの検索方法を、図１２を用いて説明する。なお、上記のように、発信器ＢがＢＬＥ信号を用いる場合、クラス１、クラス２、クラス３のいずれの発信信号を用いてもよい。
【００９１】
（１）携帯デバイスＣが、管理サーバＡの配布した上記街検索アプリケーションをダウンロードする。
（２）携帯デバイスＣが、上記街検索アプリケーションを起動する（アプリケーション起動ステップ）。
（３）携帯デバイスＣが、所定の電波を発信して、近隣ノードを探索する。
（４）携帯デバイスＣが近隣ノードを検知する。
（５）携帯デバイスＣがノード間通信網を介してアドホック通信を開始する。
（６）ノード間通信網を介して携帯デバイスＣが、ＧＰＳなどを用いて管理サーバＡから当該携帯デバイスＣの位置情報を取得する。
（７）上記位置情報を基に、ノード間通信網を介して管理サーバＡから、携帯デバイスＣの位置の近隣地図を受信して、当該携帯デバイスＣに表示する（近隣地図表示ステップ）。
（８）携帯デバイスＣが、表示された上記近隣地図に操作を加え、当該携帯デバイスＣの予定する移動範囲を指定する（移動範囲指定ステップ）。
（９）ノード間通信網を介して管理サーバＡから、上記ＡＲ地図を取得する。
（１０）ＡＲ地図を指でなぞるなどして、予定する移動範囲を絞り込む。
（１１）予定する移動範囲を決定する。
（１２）携帯デバイスＣが、検索するキーワードを指定する（キーワード指定ステップ）。
（１３）管理サーバＡが検索を開始する。
（１４）必要であれば、キーワードを変更する。
（１５）管理サーバＡの検索結果を、ＡＲ地図上に表示する（キーワード情報発信位置表示ステップ）。
（１６）携帯デバイスＣ上に、管理サーバＡが経路情報と通過ポイントを表示する（案内信号送信ステップ、案内信号受信ステップ）。
（１７）携帯デバイスＣが、キーワード等で指定した目的情報を発信する発信器Ｂへ移動開始する。
【００９２】
上記実施例４において、発信器Ｂは、上記目的情報を管理サーバＡに登録すると共に、当該目的情報（レコメンド／サービス情報等を含む）を、ＢＬＥ（Bluetooth Low Energy）の例えばクラス１の発信信号などを用いて発信するが、同時にアドバタイズメントパケットを発信するデバイスのスキャンを間断なく行う。
【００９３】
携帯デバイスＣが発信するアドバタイズメントパケットのスキャンに成功した発信器Ｂは、例えばＢＬＥ信号により携帯デバイスＣに接続要求をし、当該ＢＬＥ信号を携帯デバイスＣがキャッチすれば、当該発信器Ｂと当該携帯デバイスＣが接続する。この状態が上述のした、発信器Ｂをマスター（Master）としたスレーブ（Slave）化であり、携帯デバイスＣが発信器Ｂ（マスター）の目的情報の受信可能領域内でスレーブ化携帯デバイスＣとなり、発信器Ｂ（マスター）とピコネットを形成する。上記のように、ＢＬＥ信号のクラス１（又はクラス２）の発信信号を用いれば、ピコネット領域は理想的には半径約１０ｍの円となる。あるいは、ＢＬＥ信号のクラス３の発信信号を用いれば、ピコネット領域は半径５ｃｍ程度の領域となり、下記のような決済装置（発信器Ｂと連動するレジや決済用デバイスなど）を探す場合に利用することができる。
【実施例５】
【００９４】
本実施例５においては、上記実施例４で検索した、携帯デバイスＣが選択した利用ポイントにおける発信器Ｂの目的情報を、ノード間通信網を用いて取得する方法を、図１３を用いて説明する。
【００９５】
実施形態１で記載した特定の通信網を用いたキーワード対応街検索方法と同様にして、携帯デバイスＣが所望の発信器Ｂのピコネット領域Ｂ内に到着すると、携帯デバイスＣはノード間通信網を介して管理サーバＡに到着を通知する。この間、携帯デバイスＣは、ピコネット領域Ｂに至るまでのチェックポイントを予め管理サーバＡに通知しておき、チェックポイントを通過ごとにノード間通信網を介して管理サーバＡに通知してもよい。
【００９６】
携帯デバイスＣが起動した上記街検索アプリケーションは、上記管理サーバＡに到着通知後、ノード間通信網におけるアドホック通信を切断し、管理サーバＡは携帯デバイスＣが発信器Ｂとピコネット領域Ｂ内で通信を開始したことを検知する。
【００９７】
上述のように、ピコネット領域Ｂ内で携帯デバイスＣ（peripheral）がランダムアドレス（ＵＩＤ）や機種名を乗せたアドバタイズメントパケットを送信し、当該アドバタイズメントパケットを受信した発信器Ｂ（central）が、ランダムアドレス（ＵＩＤ）や機種名を登録情報と照合して登録を確認する。携帯デバイスＣ（peripheral）が上記街検索アプリケーションをダウンロード乃至起動することにより管理サーバＡが携帯デバイスＣの個体識別番号（ＵＩＤ）や機種名を登録情報として掌握しており、携帯デバイスＣが所望の利用ポイントを選択することにより当該利用ポイントとなる発信器Ｂが管理サーバＡを介して当該携帯デバイスＣの当該登録情報（個体識別番号（ＵＩＤ）や機種名）を取得するので、発信器Ｂは当該登録情報を基に自己を利用ポインに選択した携帯デバイスＣを確認することができる。
【００９８】
このように携帯デバイスＣは所望の発信器Ｂのピコネット領域Ｂに案内され、当該ピコネット領域Ｂ内での携帯デバイスＣと所望の発信器Ｂ間の通信が開始され、携帯デバイスＣは発信器Ｂから所望の目的情報を得、目的レコメンドを取得するなどのサービスを受けることができる。
【００９９】
目的を達成するなどして、携帯デバイスＣが所望の発信器Ｂのピコネット領域Ｂから離脱すると、ピコネット領域Ｂ内の通信は切断されてこれを管理サーバＡが検知し、再度ノード間通信網におけるアドホック通信が開始される。携帯デバイスＣは、ノード間通信網を利用して、次の選択した利用ポイントに案内を受けることができる。あるいは、上述のように、発信器ＢがＢＬＥ信号のクラス３の発信信号を用いれば、ピコネット領域は半径５ｃｍ程度の領域となり、携帯デバイスＣは決済手段を備える発信器Ｂあるいは発信器Ｂと連動する決済デバイス、決済装置等間で決済サービス等を受けることもできる。
ＩＩＩ．公衆回線網を用いたキーワード対応街検索方法
【０１００】
［第３の実施形態］
（公衆回線網）
本発明に係る第１実施形態のキーワード対応街検索システムは、上記特定の通信網として公衆回線網を用いる。公衆回線網は４Ｇや３Ｇ、ＬＴＥなど、その他の無線公衆回線網であり、特に限定されない。あるいは、上述したように、公衆回線網その他の通信網等を利用して構築したＬＩＮＥなどのソーシャル・ネットワークを特定の通信網としてもよい。
【０１０１】
本発明に係る第３実施形態のキーワード対応街検索方法は、図１４にフローで示すように、情報発信位置へ設置されて目的情報を無線発信する発信器Ｂと、上記発信器Ｂより、上記目的情報と関連付けられたキーワードと当該発信器Ｂの発信位置情報がデータベースに登録され、登録された当該キーワードと当該発信位置情報とを当該データベース中で検索可能な街検索アプリケーションを配布する、当該データベースを有すると共に発信器Ｂと交信可能な管理サーバＡと、公衆回線網により上記管理サーバＡと交信し、上記街検索アプリケーションをダウンロードした携帯デバイスＣと、を含む通信ネットワークにおいて、
（Ｓｔｅｐ１）携帯デバイスＣが、管理サーバＡの配布した上記街検索アプリケーションを起動するアプリケーション起動ステップ
（Ｓｔｅｐ２）管理サーバＡが、携帯デバイスＣの位置情報を取得する位置情報取得ステップ
（Ｓｔｅｐ３）管理サーバＡが、上記位置情報を基に、携帯デバイスＣの位置の近隣地図を携帯デバイスＣに送信する近隣地図送信ステップ
（Ｓｔｅｐ４）携帯デバイスＣが、管理サーバＡから受信した上記近隣地図を当該携帯デバイスＣに表示する近隣地図表示ステップ
（Ｓｔｅｐ５）携帯デバイスＣが、表示された上記近隣地図に操作を加え、当該携帯デバイスＣの予定する移動範囲を指定する移動範囲指定ステップ
（Ｓｔｅｐ６）携帯デバイスＣが、検索するキーワードを指定するキーワード指定ステップ
（Ｓｔｅｐ７）携帯デバイスＣが、検索情報として、上記移動範囲と上記キーワードを、管理サーバＡに送信する検索情報送信ステップ
（Ｓｔｅｐ８）管理サーバＡが、上記近隣地図に基づいて指定された上記移動範囲と上記キーワードを含む検索情報を、携帯デバイスＣから受信する検索情報受信ステップ
（Ｓｔｅｐ９）管理サーバＡが、上記移動範囲内で上記キーワードを上記データベース中で検索し、当該キーワードに該当する１又は複数のキーワード情報発信位置を取得するキーワード情報発信位置取得手段ステップ
（Ｓｔｅｐ１０）管理サーバＡが、上記取得された当該１又は複数の検索キーワード情報発信位置を、携帯デバイスＣに送信する検索キーワード情報発信位置送信ステップ
（Ｓｔｅｐ１１）携帯デバイスＣが、上記移動範囲内で検索された、上記キーワードを上記データベースに登録した１又は複数の発信器Ｂの発信位置情報を、管理サーバＡから受信して、上記近隣地図上に表示するキーワード情報発信位置表示ステップ
（Ｓｔｅｐ１２）携帯デバイスＣが、上記表示された１又は複数のキーワード情報発信位置の中から、所望の利用ポイントを選択する利用ポイント選択ステップ
（Ｓｔｅｐ１３）管理サーバＡが、上記利用ポイントを携帯デバイスＣから受信し、当該利用ポイントへの案内信号を携帯デバイスＣへ送信する案内信号送信ステップ
（Ｓｔｅｐ１４）携帯デバイスＣが、上記選択した利用ポイントへの案内信号を当該管理サーバＡから受信する案内信号受信ステップ
（Ｓｔｅｐ１５）携帯デバイスＣが、上記利用ポイントに設置された発信器Ｂが発信する目的情報の受信可能領域に入って、当該発信器Ｂをマスター（Master）としてスレーブ（Slave）化してスレーブ化携帯デバイスＣとなり、マスターである当該発信器Ｂの発信する目的情報を受信するマスター情報受信ステップ
を含んで構成される。
【０１０２】
上記（Ｓｔｅｐ３）の、管理サーバＡが携帯デバイスＣの位置の近隣地図を携帯デバイスＣに送信する近隣地図送信ステップは、上記近隣地図上にＡＲ（Augmented Reality）ドローイング・シートを重畳して、移動範囲絞り込み可能なＡＲ地図を、上記携帯デバイスＣに送信するＡＲ地図送信ステップを含むのが好適である。この場合、上記（Ｓｔｅｐ５）の、携帯デバイスＣが、予定する移動範囲を指定する上記移動範囲指定手段は、上記ＡＲ地図上で、入力手段を用いて、予定する移動範囲を閉路を描いて囲むことにより指定するＡＲ地図絞り込みステップを実行するのが好ましい。
ＩＶ．決済手段及び方法
【０１０３】
（決済場面）
上記実施形態及び実施例では、街検索アプリケーションを介して、管理サーバＡが携帯デバイスＣを所望の目的情報の発信器Ｂに案内するシステム及び方法について説明したが、上記ピコネット領域（受信可能領域）が広い発信器Ｂを使用する場合は、例えばＢＬＥのクラス１等を用いる発信器Ｂ（class１）を店頭や大会場の各施設などに設置して戸口案内などに用いることができ、ピコネット領域（受信可能領域）が狭い発信器Ｂを使用する場合は、例えばＢＬＥのクラス３を用いる発信器Ｂ（class３）を決済デバイスのような決済手段として用いることができる。
【０１０４】
［第４の実施形態］
本第４の実施形態において、発信器Ｂは、決済手段を備えた携帯決済用デバイスなどであってよく、あるいは、レジなどの決済手段付近に設置されたビーコンなどでも良く、ＢＬＥ信号のクラス３を使用する発信器Ｂ（class３）であり、上記店内に固定されていてもよいし、店員が持ち歩いて顧客（例えば携帯デバイスＣ）への決済サービスの提供に供するポータブルタイプであってもよい。
【０１０５】
以下、決済手段がＲＦＩＤ決済手段（ＲＦＩＤリーダライタ又はＲＦＩＤタグ）又はＢＬＥ決済手段である場合のそれぞれについて、実施例を用いて説明する。なお、本明細書においてＢＬＥ決済手段とは、ＢＬＥのクラス３を用い、顧客の携帯デバイスＣ又はクレジットカード等をかざしてクレジット決済を行う発信器Ｂ（class３）決済用デバイスや発信器Ｂ（class３）と連動した決済手段をいう。
【実施例６】
【０１０６】
実施例６について、図１５を用いて説明する。まず、本実施例６では、例として、実施形態１で説明した（Ｓ１）〜（Ｓ１５）を含むキーワード対応街検索決済方法で、デバイスＣが発信器Ｂ（class１）へ案内されて発信器Ｂ（class１）をマスターとしてスレーブ化し、その後発信器Ｂ（class１）を設置した店内で買い物をして、店内でＲＦＩＤ決済手段（ＲＦＩＤリーダライタ又はＲＦＩＤタグ）を備える決済デバイスＢにかざしてデバイスＣが決済を行う場面である。なお、発信器Ｂ（class１）はクラス２を用いる発信器Ｂ（class２）であってもよい。
【０１０７】
本実施例６の決済手段可能なキーワード対応街検索決済方法は、実施形態１で説明した（Ｓ１）〜（Ｓ１５）を含むキーワード対応街検索決済方法において、
（前提１）実施形態１に記載の目的情報は、決済手段情報としてＲＦＩＤ決済手段の情報を含み、
（前提２）実施形態１に記載の発信器Ｂは、ＢＬＥ信号のクラス１を使用する発信器Ｂ（class１）であり、
（前提３）上記発信器Ｂを設置する店は、店内の無線通信網（ＷｉＦｉなど）を備え、
（前提４）上記発信器Ｂを設置する店は、ＲＦＩＤ決済手段（ＲＦＩＤリーダライタ又はＲＦＩＤタグ）を有する決済デバイスＢを備え、
（前提５）上記店内の無線通信網を介して、上記決済デバイスＢと上記管理サーバＡが交信可能であることを前提として、実施形態１の（Ｓ１）〜（Ｓ１５）を含むキーワード対応街検索決済方法を実行する。
【０１０８】
更に、本実施例６の決済手段可能なキーワード対応街検索決済方法は、
（Ｓ２１）上記管理サーバＡが、上記発信器Ｂ（class１）を介して、上記スレーブ化したスレーブ化携帯デバイスＣの位置を確認するスレーブ化位置確認ステップと、
（Ｓ２２）上記スレーブ化携帯デバイスＣが、発信器Ｂ（class１）（Master）の発信する目的情報（決済手段情報、レコメンド、サービス情報／ポイント付加情報等）を受信する上記マスター情報受信ステップと、
（Ｓ２３）上記スレーブ化携帯デバイスＣが発信器Ｂ（class１）（Master）の設置店内に入り、発信器Ｂ（class１）との交信を切断してスレーブ化を離脱した携帯デバイスＣとなる共に、当該店内の無線通信網とリレー又はペアリングする交信維持ステップと、
（Ｓ２４）上記設置店内で１又は複数の商品を選択する商品選択ステップと、
（Ｓ２５）上記受信した決済手段情報から支払い方法としてＲＦＩＤ決済手段を選択するＲＦＩＤ決済手段選択ステップと、
（Ｓ２６）上記ＲＦＩＤ決済手段の選択がキーワード変換されて、管理サーバＡがスレーブ化携帯デバイスＣのＲＦＩＤ決済手段選択を確認するＲＦＩＤ決済手段確認ステップと、
（Ｓ２７）上記キーワードを基に検索を実行した管理サーバＡが、上記スレーブ化を離脱した携帯デバイスＣを、決済デバイスＢへ案内する決済デバイス案内ステップと、
（Ｓ２８）上記入力された商品について決済デバイスＢが作成する、当該商品の品目と数量、金額入り支払いＧＵＩ請求書を、スレーブ化携帯デバイスＣが受信する請求書受信ステップと、
（Ｓ２９）スレーブ化携帯デバイスＣが、上記ＧＵＩ請求書を確認する請求書表示確認ステップと、
（Ｓ３０）スレーブ化携帯デバイスＣが、上記ＲＦＩＤ決済手段の選択を確認した管理サーバＡから、ОＴＰ(One Time Password)を含む決済情報を受信するＯＴＰ決済情報受信ステップと、
（Ｓ３１）スレーブ化携帯デバイスＣが、決済デバイスＢのＲＦＩＤ決済手段（ＲＦＩＤリーダライタ又はＲＦＩＤタグ）に当該携帯デバイスＣをかざして支払いを申し込むＲＦＩＤ支払申込みステップと、
（Ｓ３２）上記ОＴＰを含む決済情報を発信器Ｂが確認後、上記商品と共に当該コンピュータが発行する領収書を受信する領収書受信ステップと、
を備える。
【０１０９】
上記店内の無線通信は、ＷｉＦｉやＢｌｕｅｔｏｏｔｈ（登録商標）などを用いればよい。また、（Ｓ２７）の、管理サーバＡがスレーブ化を離脱した携帯デバイスＣを決済デバイスＢへ案内する決済デバイス案内ステップは、店内の無線通信網（ＷｉＦｉなど）を利用して、上記実施形態と同様に、キーワード対応街検索方法を用いて決済デバイスＢへの案内を行う。
【実施例７】
【０１１０】
実施例７について、図１６を用いて説明する。本実施例７では、例として、デバイスＣがたまたま訪れた店で買い物をして、デバイスＣが発信器Ｂ（class３）決済用デバイスや決済手段と連動した発信器Ｂ（class３）に、キーワード対応街検索決済方法で案内され、発信器Ｂ（class３）と連動した決済手段又は発信器Ｂ（class３）決済用デバイスを用いて決済を行う場面である。
【０１１１】
上記発信器Ｂ（class３）と連動した決済手段又は発信器Ｂ（class３）決済用デバイスは、デバイスＣが訪れた店内に固定されていてもよいし、店員が持ち歩いて顧客（例えば携帯デバイスＣ）の近辺に近づいて、決済サービスを行う携帯又はポータブルタイプであってもよい。
【０１１２】
なお、本実施例７では、デバイスＣがたまたま訪れた店で買い物をしている設定であるので、第１の実施形態における特定の通信網は、上記発信器Ｂ（class３）を備える店の店内の無線通信網（ＷｉＦｉなど）であってよく、携帯デバイスＣは、当該無線通信網を介して上記管理サーバＡが交信するものとする。
【０１１３】
本実施例７の決済手段可能なキーワード対応街検索決済方法は、
目的情報をＢＬＥ信号のクラス３を使用して発信する発信器Ｂ（class３）と、
上記発信器Ｂより、上記目的情報と関連付けられたキーワードと当該発信器Ｂの発信位置情報がデータベースに登録され、登録された当該キーワードと当該発信位置情報とを当該データベース中で検索可能な街検索アプリケーションを配布する、当該データベースを有すると共に発信器Ｂと交信可能な管理サーバＡと、
特定の通信網により上記管理サーバＡと交信し、上記街検索アプリケーションをダウンロードした携帯デバイスＣと、
を含み、
（前提１）上記目的情報は、決済手段情報としてＢＬＥ決済手段の情報を含み、
（前提２）上記目的情報を無線発信する発信器Ｂ（class３）は、ＢＬＥ決済手段を備え、又はＢＬＥ決済手段と連動し、
（前提３）上記携帯デバイスＣは、上記発信器Ｂ（class３）を備える店内で買い物をしており（又はサービスの提供を受けており）、
（前提４）上記特定の通信網は上記店内の無線通信網であり、当該無線通信網を介して、上記携帯デバイスＣと上記管理サーバＡが交信可能であり、
（前提５）上記無線通信網を介して、キーワード検索により、上記管理サーバＡが上記携帯デバイスＣを上記発信器Ｂ（class３）へ案内可能である、
通信ネットワークにおいて、
（Ｓ１−１）固定され、又は移動可能な上記発信器Ｂ（class３）を備える店内又は店外で、上記携帯デバイスＣが、上記管理サーバＡの配布した上記街検索アプリケーションを起動するアプリケーション起動ステップと、
（Ｓ２）管理サーバＡが、携帯デバイスＣの位置情報を取得する位置情報取得ステップと、
（Ｓ３）管理サーバＡが、上記位置情報を基に、携帯デバイスＣの位置の近隣地図（上記店内地図）を携帯デバイスＣに送信する近隣地図送信ステップと、
（Ｓ４）携帯デバイスＣが、管理サーバＡから受信した上記近隣地図を当該携帯デバイスＣに表示する近隣地図表示ステップと、
（Ｓ５）携帯デバイスＣが、表示された上記近隣地図に操作を加え、当該携帯デバイスＣの予定する移動範囲を指定する移動範囲指定ステップと、
（Ｓ４１）上記発信器Ｂ（class３）を備える店内で、携帯デバイスＣが１又は複数の商品を選択する商品選択ステップと、
（Ｓ４２）発信器Ｂ（class３）が、上記選択された商品について当該商品の品目と数量、金額、決済手段情報を含む支払いＧＵＩ（Graphical User Interface）請求書を作成し、携帯デバイスＣに送信するＧＵＩ請求書送信ステップと、
（Ｓ４３）受信したＧＵＩ請求書上で、携帯デバイスＣが、決済手段としてＢＬＥ決済手段を選択するＢＬＥ決済選択ステップと、
（Ｓ７−１）上記ＢＬＥ決済手段の選択がキーワード変換されて、当該ＢＬＥ決済手段のキーワードと上記移動範囲とを検索情報として、携帯デバイスＣが管理サーバＡに送信する検索情報送信ステップと、
（Ｓ８−１）管理サーバＡが、上記近隣地図に基づいて指定された上記移動範囲と上記ＢＬＥ決済手段のキーワードを含む検索情報を、携帯デバイスＣから受信する検索情報受信ステップと、
（Ｓ９）管理サーバＡが、上記移動範囲内で上記キーワードを上記データベース中で検索し、当該キーワードに該当する１又は複数のキーワード情報発信位置を取得するキーワード情報発信位置取得ステップと、
（Ｓ１０）管理サーバＡが、上記取得された当該１又は複数の検索キーワード情報発信位置を、携帯デバイスＣに送信する検索キーワード情報発信位置送信ステップと、
（Ｓ１１）携帯デバイスＣが、上記移動範囲内で検索された、上記キーワードを上記データベースに登録した１又は複数の発信器Ｂ（class３）の発信位置情報を、管理サーバＡから受信して、上記近隣地図上に表示するキーワード情報発信位置表示ステップと、
（Ｓ１２）携帯デバイスＣが、上記表示された１又は複数のキーワード情報発信位置の中から、所望の利用ポイントを選択する利用ポイント選択ステップと、
（Ｓ１３）管理サーバＡが、上記利用ポイントを携帯デバイスＣから受信し、当該利用ポイントへの案内信号を携帯デバイスＣへ送信する案内信号送信ステップと、
（Ｓ１４）携帯デバイスＣが、上記選択した利用ポイントへの案内信号を当該管理サーバＡから受信する案内信号受信ステップと、
（Ｓ１５−１）携帯デバイスＣが、上記利用ポイントに位置する発信器Ｂ（class３）が発信する目的情報の受信可能領域（ピコネット領域Ｂ（class３））に入って、当該発信器Ｂ（class３）をマスター（Master）としてスレーブ（Slave）化してスレーブ化携帯デバイスＣとなり、マスターである当該発信器Ｂの発信する目的情報を受信するマスター情報受信ステップと、
（Ｓ４４）管理サーバＡが、発信器Ｂ（class３）を介して、スレーブ化した上記スレーブ化携帯デバイスＣの位置を確認するスレーブ化位置確認ステップと、
（Ｓ４５）スレーブ化したスレーブ化携帯デバイスＣが、上記ＧＵＩ請求書を確認する請求書表示確認ステップと、
（Ｓ４６）上記ＢＬＥ利用決済の選択をキーワードとして確認した管理サーバＡが、発信器Ｂ（class３）を介して、ОＴＰ(One Time Password)を含む画像化情報を上記スレーブ化携帯デバイスＣに送信するＯＴＰ画像化情報送信ステップと、
（Ｓ４７）管理サーバＡから、上記ОＴＰを含む画像化情報を受信するＯＴＰ画像化情報受信ステップと、
（Ｓ４８）発信器Ｂ（class３）（Master）と連動したＢＬＥ決済手段に、当該携帯デバイスＣに表示した上記ОＴＰを含む画像化情報をスキャンさせて支払いを申し込むＢＬＥ支払申込みステップと、
（Ｓ４９）上記ОＴＰを含む画像化情報を発信器Ｂが確認後、上記商品と共に当該コンピュータが発行する領収書を受信する領収書受信ステップと、を備える。
【０１１４】
上記（Ｓ４１）の商品選択ステップは、上記（Ｓ５）以前のステップの前に位置してもよい。
【０１１５】
上記実施例７の決済手段可能なキーワード対応街検索決済方法は、主に発信器Ｂ（class３）が店内に固定されたレジ等の場合に対応するが、例えば、当該店の店員が持ち歩く決済可能な携帯発信器Ｂ（class３）デバイスで、当該店員の方から携帯デバイスＣに近づいてくるような場合は、携帯デバイスＣは所望の利用ポイントを選択する必要はなく、上記実施例７の（Ｓ１２）〜（Ｓ１４）を省いて、（Ｓ１５−１）を以下の（Ｓ１５−２）のステップのように置き換えればよい。
【０１１６】
すなわち、
（Ｓ１５−２）携帯デバイスＣが、上記１又は複数のキーワード情報発信位置に位置する発信器Ｂ（class３）が発信する目的情報の受信可能領域（ピコネット領域Ｂ（class３））に入って、当該発信器Ｂ（class３）をマスター（Master）としてスレーブ（Slave）化してスレーブ化携帯デバイスＣとなり、マスターである当該発信器Ｂの発信する目的情報を受信するマスター情報受信ステップ、
に置き換える。
【０１１７】
本第４の実施形態において、実施例６の特定の通信網は、公衆回線網であってもノード間通信網であってもよく、上述のようなソーシャル・ネットワークであってもよい。また、実施例７の特定の通信網は上記店内の無線通信網であるが、公衆回線網やソーシャル・ネットワーク等と接続して、携帯デバイスＣと管理サーバＡが交信を行う。その他、上述の実施形態のＡＲ地図や絞り込みのステップ等を用いてもよい。
【０１１８】
例えば、上記実施例において、本発明のキーワード対応街検索方法は、
上記管理サーバＡが、携帯デバイスＣの位置の近隣地図を携帯デバイスＣに送信する近隣地図送信ステップ（Ｓ３）は、（Ｓ３−１）上記近隣地図上にＡＲ（Augmented Reality）ドローイング・シートを重畳して、移動範囲絞り込み可能なＡＲ地図を、上記携帯デバイスＣに送信するＡＲ地図送信ステップを含み、上記携帯デバイスＣが、予定する移動範囲を指定する上記移動範囲指定ステップ（Ｓ５）は、
（Ｓ５−１）上記ＡＲ地図上で、入力手段を用いて、予定する移動範囲を閉路を描いて囲むことにより指定するＡＲ地図絞り込みステップを含んでもよい。
【０１１９】
以上、本発明の街検索システム及びその方法について説明したが、本発明は上記実施形態、実施例に限定されるものではない。
【０１２０】
その他、本発明は、その主旨を逸脱しない範囲で当業者の知識に基づき種々の改良、修正、変更を加えた態様で実施できるものである。
【産業上の利用可能性】
【０１２１】
本発明に係る街検索システム及びその方法は、発信器を設置したあらゆる商店やオフィス、建物等、街中の至る場所、あるいはショッピング・モールなどの巨大施設内の各店舗等へのキーワード検索に用いることができる。
【０１２２】
また、本発明に係る街検索アプリケーションは、個々の店舗等に依存しないため、ソーシャル・ネットワークを利用した目的情報発信器のポータル化に供することができる。さらに、本発明に係るキーワード対応街検索システムを用いれば、街中にニュース取得用の目的情報発信器を設置して、Jアラートなどの通信衛星と市町村の同報系防災行政無線や有線放送電話を利用し、緊急情報を住民へ瞬時に伝達するシステムとの連携による緊急情報利用も可能であり、また、ショッピング・モールや病院などでバリアフリー情報の提供に供することもできる。
【符号の説明】
【０１２３】
１：本発明に係るキーワードに対応する目的情報を取得可能なキーワード対応街検索システム
Ａ：管理サーバ（データベースを含む）
ａ：管理者
Ｂ：発信器
ｂ：発信器を設置するクライアント
Ｃ：携帯デバイス
ｃ：ユーザー
【図１】
2016111375.tif 000003
【図２】
2016111375.tif 000004
【図３】
2016111375.tif 000005
【図４】
2016111375.tif 000006
【図５】
2016111375.tif 000007
【図６】
2016111375.tif 000008
【図７】
2016111375.tif 000009
【図８】
2016111375.tif 000010
【図９】
2016111375.tif 000011
【図１０】
2016111375.tif 000012
【図１１】
2016111375.tif 000013
【図１２】
2016111375.tif 000014
【図１３】
2016111375.tif 000015
【図１４】
2016111375.tif 000016
【図１５】
2016111375.tif 000017
【図１６】
2016111375.tif 000018